(57)【要約】本発明は、ヘテロ接合の非ヒト出発生物から効果的にホモ接合生物を作出する方法であって、ヘテロ接合出発生物を用意すること、前記出発生物に半数体細胞を生産させること、そのようにして得た半数体細胞からホモ接合生物を作製すること、そして所望の染色体セットを有する生物を選択することを含み、限られた数の遺伝的に異なる半数体細胞が得られるように、前記半数体細胞の生産中に組換えが起こらないことを特徴とする方法に関する。組換えは防止または抑制することもできる。【特許請求の範囲】
【請求項１】
ヘテロ接合の非ヒト出発生物から効率的にホモ接合生物を作出する方法であって、
ａ）ヘテロ接合の出発生物を用意するステップと
ｂ）前記出発生物に半数体細胞を生産させるステップと、
ｃ）そのようにして得た半数体細胞からホモ接合生物を作製するステップと、
ｄ）所望の染色体セットを有する生物を選択するステップと、
を含み、限られた数の遺伝的に異なる半数体細胞が得られるように、前記半数体細胞の生産中に組換えが起こらないことを特徴とする方法。
【請求項２】
組換えが少なくとも部分的に防止または抑制される、請求項１に記載の方法。
【請求項３】
生物が動物である、請求項１または２に記載の方法。
【請求項４】
生物が植物である、請求項１または２に記載の方法。
【請求項５】
生物が菌類である、請求項１または２に記載の方法。
【請求項６】
組換えの防止または抑制が、組換えに関与する１つまたはそれ以上の標的遺伝子を妨害することによって達成される、請求項２〜５に記載の方法。
【請求項７】
標的遺伝子が二本鎖切断に関与する、請求項６に記載の方法。
【請求項８】
標的遺伝子が、ＳＰＯ１１、ＭＥＲ１、ＭＥＲ２、ＭＲＥ２、ＭＥＩ４、ＲＥＣ１０２、ＲＥＣ１０４、ＲＥＣ１１４、ＭＥＫ１／ＭＲＥ４、ＲＥＤ１、ＨＯＰ１、ＲＡＤ５０、ＭＲＥ１１、ＸＲＳ２、またはそれらの機能的ホモログからなる群より選択される、請求項７に記載の方法。
【請求項９】
標的遺伝子が染色体対合および／または鎖交換に関与する、請求項６に記載の方法。
【請求項１０】
標的遺伝子が、ＲＨＤ５４／ＴＩＤ１、ＤＭＣ１、ＳＡＥ３、ＲＥＤ１、ＨＯＰ１、ＨＯＰ２、ＲＥＣ８、ＭＥＲ１、ＭＲＥ２、ＺＩＰ１、ＺＩＰ２、ＭＥＩ５、ＲＡＤ５１、ＲＡＤ５２、ＲＡＤ５４、ＲＡＤ５５、ＲＡＤ５７、ＲＰＡ、ＳＭＣ３、ＳＣＣ１、ＭＳＨ２、ＭＳＨ３、ＭＳＨ６、ＰＭＳ１、ＳＯＬＯＤＡＮＣＥＲＳ、ＨＩＭ６、ＣＨＫ２、またはそれらの機能的ホモログからなる群より選択される、請求項９に記載の方法。
【請求項１１】
標的遺伝子が減数分裂期組換えプロセスに関与する、請求項６に記載の方法。
【請求項１２】
標的遺伝子が、ＳＧＳ１、ＭＳＨ４、ＭＳＨ５、ＺＩＰ１およびＺＩＰ２、またはそれらの機能的ホモログからなる群より選択される、請求項１１に記載の方法。
【請求項１３】
標的遺伝子の妨害がその転写を防止することからなる、請求項６〜１０のいずれか一項に記載の方法。
【請求項１４】
転写が、標的遺伝子プロモーターに対するＲＮＡオリゴヌクレオチド、ＤＮＡオリゴヌクレオチドまたはＲＮＡｉ分子を使って防止される、請求項１３に記載の方法。
【請求項１５】
転写が、標的遺伝子プロモーターに働く負に作用する転写因子の発現によって防止される、請求項１３に記載の方法。
【請求項１６】
標的遺伝子の妨害が、標的遺伝子のｍＲＮＡまたは標的遺伝子の転写物を不安定化することからなる、請求項６〜１０のいずれか一項に記載の方法。
【請求項１７】
標的遺伝子ｍＲＮＡが、アンチセンスＲＮＡ、ＲＮＡｉ分子、ウイルス誘導性遺伝子サイレンシング（ＶＩＧＳ）分子、共抑制因子分子、ＲＮＡオリゴヌクレオチドまたはＤＮＡオリゴヌクレオチドからなる群より選択される、標的遺伝子ｍＲＮＡまたは標的遺伝子転写物に相補的な核酸分子を使って不安定化される、請求項１６に記載の方法。
【請求項１８】
標的遺伝子の妨害が、標的遺伝子の発現産物を阻害することからなる、請求項６〜１０のいずれか一項に記載の方法。
【請求項１９】
標的遺伝子発現産物が、１つまたはそれ以上のドミナントネガティブ核酸構築物の発現産物を使って阻害される、請求項１８に記載の方法。
【請求項２０】
標的遺伝子の発現産物が、標的遺伝子産物と相互作用する１つまたはそれ以上の抑制因子の（過剰）発現を使って阻害される、請求項１８に記載の方法。
【請求項２１】
標的遺伝子の発現産物が、１つまたはそれ以上の化学化合物を使って阻害される、請求項１８に記載の方法。
【請求項２２】
標的遺伝子の妨害が、標的遺伝子の生物学的機能の混乱をもたらす標的遺伝子への１つまたはそれ以上の突然変異の導入からなる、請求項６〜１０のいずれか一項に記載の方法。
【請求項２３】
１つまたはそれ以上の突然変異が、１つまたはそれ以上の化学化合物および／または物理的手段および／または遺伝要素の挿入を使ってランダムに導入される、請求項２２に記載の方法。
【請求項２４】
１つまたはそれ以上の化学化合物が、エチルメタンスルホネート、ニトロソメチルウレア、ヒドロキシルアミン、プロフラビン、Ｎ−メチル−Ｎ−ニトロソグアニジン、Ｎ−エチル−Ｎ−ニトロソウレア、Ｎ−メチル−Ｎ−ニトロ−ニトロソグアニジン、硫酸ジエチル、エチレンイミン、アジ化ナトリウム、ホルマリン、ウレタン、フェノールおよび酸化エチレンからなる群より選択される、請求項２３に記載の方法。
【請求項２５】
物理的手段が、ＵＶ照射、高速中性子ばく露、Ｘ線、ガンマ線照射からなる群より選択される、請求項２３に記載の方法。
【請求項２６】
遺伝要素が、トランスポゾン、Ｔ−ＤＮＡ、レトロウイルス要素からなる群より選択される、請求項２３に記載の方法。
【請求項２７】
１つまたはそれ以上の突然変異が、相同組換えまたはオリゴヌクレオチドに基づく突然変異誘発を使って特異的に導入される、請求項２２に記載の方法。
【請求項２８】
組換えの防止または抑制が、紡錘体の形成を防止する化学化合物によって達成される、請求項１〜５に記載の方法。
【請求項２９】
組換えの防止または抑制が、異数性を誘導する化学化合物によって達成される、請求項１〜５に記載の方法。
【請求項３０】
そのようにして得られた半数体細胞からホモ接合生物を作製するステップが、倍加半数体技術を使って行われる、請求項１〜２９のいずれか一項に記載の方法。
【請求項３１】
そのようにして得られた半数体細胞からホモ接合生物を作製するステップが、第二分裂復旧を使って行われる、請求項１〜２９のいずれか一項に記載の方法。
【請求項３２】
そのようにして得た半数体細胞からホモ接合生物を作製するステップが、前記半数体細胞を含む植物を自家受粉させて種子の集団を生産し、分子遺伝子タイピングを使ってその集団内のホモ接合種子を同定し、そのようにして同定されたホモ接合種子から植物を生長させることによって行われる、請求項１〜２９のいずれか一項に記載の方法。
【請求項３３】
請求項１〜３２のいずれか一項に記載の方法を使って得られるホモ接合生物。
【請求項３４】
交配に親として使用するための請求項３３に記載のホモ接合生物。
【請求項３５】
組換えに関与する標的遺伝子の発現を改変するためのサイレンシング構築物であって、適切な転写開始配列および転写終結配列と、標的遺伝子のコーディング鎖の少なくとも一部のヌクレオチド配列またはその相補配列を有するサイレンシングＤＮＡ配列とを含む構築物。
【請求項３６】
サイレンシングＤＮＡ配列が、標的遺伝子のヌクレオチド配列に対して、少なくとも５０％、好ましくは少なくとも６０％、より好ましくは少なくとも７０％、さらに好ましくは少なくとも８０％、最も好ましくは少なくとも９０％相同なヌクレオチド配列を有する、請求項３５に記載の構築物。
【請求項３７】
ホモロジーが、標的遺伝子のうち、それがコードするタンパク質の生物学的機能にとって不可欠な部分について決定される、請求項３６に記載の構築物。
【請求項３８】
構築物がｐＲＺ０５１、ｐＲＺ０５２、ｐＲＺ０５４である、請求項３５〜３７のいずれか一項に記載の構築物。
【請求項３９】
組換えに関与する標的遺伝子の発現を改変するためのサイレンシング構築物であって、適切な転写開始配列および転写終結配列と、標的遺伝子のプロモーターの少なくとも一部のヌクレオチド配列またはその相補配列を有するサイレンシングＤＮＡ配列とを含む構築物。
【請求項４０】
サイレンシングＤＮＡ配列が、標的遺伝子のプロモーターに対して、少なくとも５０％、好ましくは少なくとも６０％、より好ましくは少なくとも７０％、さらに好ましくは少なくとも８０％、最も好ましくは少なくとも９０％相同なヌクレオチド配列を有する、請求項３９に記載の構築物。
【請求項４１】
ホモロジーが、標的遺伝子のうち、そのプロモーターの生物学的機能にとって不可欠な部分について決定される、請求項４０に記載の構築物。
【請求項４２】
１．５’−ＡＣＡＧＡＧＧＣＴＴＴＴＧＧＧＧＡＡＴＴ−３’（配列番号９）および逆相補プライマー５’−ＡＣＡＧＡＧＧＣＴＴＴＴＧＧＧＧＡＡＴＴ−３’（配列番号１０）、
２．５’−ＧＴＴＴＴＴＴＡＴＧＧＣＴＣＡＴＡＴＴＧＧＡＴＧＴＴＴＹＧＴＮＣＣＮＧＣ−３’（配列番号１３）および逆相補プライマー５’−ＴＣＣＡＣＡＧＴＡＴＴＡＧＴＴＣＣＣＴＴＴＣＣＡＷＡＹＴＣＲＴＣＤＡＴ−３’（配列番号１４）、
３．ＴｇＴＣＣＣＧＧＣＴＧＣＡＴＣＧＧＣＣＡＡＡＡＴＣＧＧＣ−３’（配列番号１５）および逆相補プライマー５’−ＧＡＡＴＴＣＧＴＣＡＡＴＣＡＡＡＡＴＣＡＧＴＧＡＣＣＧ−３’（配列番号１６）
からなる群より選択される、減数分裂期組換えに関与する標的遺伝子の同定に使用するためのプライマーセット。
【請求項４３】
細胞質雄性不稔（ＣＭＳ）の導入を行うための、請求項１〜３２に記載の方法の使用。
【請求項４４】
Ｆ１雑種種子の生産用親系統を作製するための、請求項１〜３２に記載の方法の使用。
【請求項４５】
請求項１〜３２に記載の方法を使って作出される所望の染色体セットを有する植物を交配することによって得ることができるＦ１雑種種子。
【請求項４６】
請求項１に記載の出発生物と同じ遺伝子構成を有する胚と、出発生物をもたらした種子の種皮の遺伝子構成と同じ遺伝子構成を有する種皮とを有する種子。
【発明の詳細な説明】
【技術分野】
【０００１】
本発明は、ヘテロ接合の非ヒト出発生物から効率よくホモ接合生物を作出する方法に関する。特に本発明は、雑種子孫生産用の親系統を作出するための植物育種におけるこの方法の使用に関する。さらに本発明は、この方法に使用するＤＮＡ構築物、この方法に使用する遺伝子を選択するためのプライマー対、本方法の結果である生物を交配することによって得ることができるＦ１雑種生物、および本方法がもたらす種子に関する。
【背景技術】
【０００２】
植物育種は人類が達成したもっとも古い成果の一つである。これは、人類が、制御された条件下で植物を生育し、信頼できる食物供給源となるタイプを選択することによって、植物を栽培化したときに始まった。多くの新品種の高い収量の一因となっているもっとも重要な特徴は、それらの雑種性である。もっとも劇的な例は、１９３２年に初めて大量に導入され、現在では米国におけるトウモロコシ作付面積の約９５％を占めている雑種トウモロコシである。交雑品種は現在、モロコシ、サトウダイコン、ヒマワリ、タマネギ、トウゴマ、アブラナ、リーキ、キュウリ、トマト、ホウレンソウ、メロン、コショウ、ニンジン、キャベツ、カリフラワー、ブロッコリ、ラディッシュ、ナスなどの作物、キノコなどの菌類、ならびに家禽および魚類などの動物で入手することができる。
【０００３】
Ｊ．ＳｎｅｅｐとＡ．Ｈｅｎｄｒｉｋｓｅｎ（１９７９，Ｐｕｄｏｃ，Ｃｅｎｔｒｅ  ｆｏｒ  Ａｇｒｉｃｕｌｔｕｒａｌ  Ｐｕｂｌｉｓｈｉｎｇ  ａｎｄ  Ｄｏｃｕｍｅｎｔａｔｉｏｎ，Ｗａｇｅｎｉｎｇｅｎ）は、過去数十年の間に応用に成功した植物育種法であって、現在栽培されている品種をもたらす方法を、いくつか教示している。Ｊ．ＳｎｅｅｐとＡ．Ｈｅｎｄｒｉｋｓｅｎ（１９７９）（前掲書，ｐ．１０４−２３３）は、「Ｃｕｒｒｅｎｔ  ｂｒｅｅｄｉｎｇ  ｍｅｔｈｏｄｓ」という章で、一般的な育種技術を述べると共に、例えばジャガイモ、サトウダイコン、トウモロコシ、ヒマワリなど、多くの作物に関して具体的な育種技術も記述している。
【０００４】
一般的には、市販の種子から得ることができる植物（実用品種）、遺伝子バンク登録データ、在来種などのコレクションから選択が行われる。このコレクションから「最善」の植物を選択し、常法により交配させる。このように伝統的には、純系または均質な集団が育種によって得られる。
【０００５】
植物育種は、ある植物種の生殖質内に存在する遺伝的変異の利用に基づいて、改良された作物品種を作出するという目的を持っている。遺伝的変異は伝統的には、遺伝的に異なる２つの植物を交配して雑種後代を作製することによって得られる。ある後代植物の遺伝子型は、雄性配偶子と雌性配偶子との合体によって接合子をもたらし、そこから最終的に当該後代植物が発生することになったその雄性配偶子と雌性配偶子の遺伝子型の組み合わせの結果である。配偶子は植物の生活環における配偶世代によって形成されるので、配偶子の遺伝的変異は配偶体の遺伝子型に反映される。配偶体は、植物の生活環における造胞世代によって生産される胞子から分化する。胞子は、植物の生殖器官中の分化した細胞から、減数分裂と呼ばれる特別な細胞分裂プロセスによって生産される。
【０００６】
減数分裂中に起こる染色体分離と染色体組換えは、二倍体ゲノムから配偶体の半数体ゲノムへの、遺伝因子の独立した再分配と新しい組み合わせの生成を引き起こすプロセスである。１つの後代植物の遺伝子型は、融合して新しい胞子体を形成する１つの雄性配偶子と１つの雌性配偶子の遺伝子型の組み合わせである。したがって減数分裂は生きているどの生物の生活環においても、遺伝的変異性を生む中心的プロセスであるとみなすことができる。
【０００７】
この変異性は、新しい性質を有する所望の植物を取得するために利用される。雑種における両親の異なる性質の組み合わせは、ホモ接合（親）植物よりも有利であることが多い。しかしそのような雑種の作出はかなり面倒である。Ｆ１雑種の場合は、まず、例えば何世代もの同系交配と選択などによって、いくつかの想定上の親系統をホモ接合にした後、それらをさまざまな組み合わせで交配して、その組み合わせ能力を調べる。次に、もっとも良い組み合わせとそれらの各親系統とを維持して、実用Ｆ１品種とする。
【０００８】
しかし、まず最初にホモ接合親系統を作出する必要があり、次にそれらのホモ接合親系統のうちの２つからなる所望の組み合わせを選択する必要があるので、望ましい雑種を取得する通常の方法にはかなりの時間がかかる。このプロセスは数世代を要する。
【０００９】
また、家畜などの動物、例えばウシ、ブタや、サケなどの魚、およびキノコなどの菌類の場合にも、雑種が望ましいかもしれないが、動物は性的に成熟して繁殖するまでにさらに長い時間を要するので、ホモ接合系統を作出し、それらの最善な組み合わせを選択して雑種を作出するには、さらに長い時間が必要である。本発明が役立ちうる動物の例には、ニジマスや、ゼブラフィッシュなどの観賞魚が含まれる。
【発明の開示】
【００１０】
したがって、雑種作出用のホモ接合親系統を得るための代替方法を提供することが、本発明の第１の目的である。
【００１１】
本発明の第２の目的は、望ましい親形質をヘテロ接合子孫で組み合わせる際の自由度をさらに増大させるために、この方法を使用することである。
【００１２】
本願では植物だけに言及する場合がある。しかし、そのような場合でも、植物以外は考えられないことが文脈から明らかでない限り、菌類または動物に置き換えて読むことができる。
【００１３】
本発明によれば、驚くべきことに、伝統的な育種の逆が可能であること、すなわちヘテロ接合植物から出発してホモ接合親系統を作出することが可能であることがわかった。それらホモ接合親系統は、交配することにより、元のヘテロ接合植物または動物を、所望であれば大量にでも、復元することができる。驚くべきことに、個々のヘテロ接合植物は、栄養生殖を行わなくても、選択した元の植物に由来する２つのホモ接合系統の交配の結果として、ヘテロ接合（Ｆ１雑種）品種に変換することができる。
【００１４】
したがって本発明は、ヘテロ接合非ヒト出発生物から効率よくホモ接合生物を作出する方法であって、
ａ）ヘテロ接合出発生物を用意するステップと、
ｂ）前記出発生物に半数体細胞を生産させるステップと、
ｃ）そのようにして得た半数体細胞からホモ接合生物を作製するステップと
ｄ）所望の染色体セットを有する生物を選択するステップと、
を含み、限られた数の異なる半数体細胞が得られるように、前記半数体細胞の生産中に、本質的に組換えが起こらないことを特徴とする方法に関する。
【００１５】
本発明の好ましい一実施形態では、出発生物が半数体細胞の形成時に組換えを起こす能力を持たないという理由で選択される場合とは対照的に、組換えが少なくとも部分的に防止または抑制される。
【００１６】
本方法はヒトを除く動物、植物及び菌類に使用することができる。
【００１７】
組換えを防止または抑制することにより、自然交配ごとに生じる通常の変異を制限し、さらには回避することができる。その結果として、異なる染色体セットを有する半数体細胞の数は、かなり減少する。そのため、所望の染色体セットを有する細胞またはそこから再生される生物を、極めて容易に同定することができる。
【００１８】
そのような細胞またはそこから再生される生物の染色体セットを倍加すると、ホモ接合細胞またはホモ接合生物が生じる。次に、そのような生物を、同じドナー生物から同じ方法で作出されたもう一つのホモ接合生物との交配に使用して、雑種生物を作出することができる。
【００１９】
「所望の染色体セット」は多くの変異体の１つであることができる。元の出発雑種を作出しようとする場合は、本発明によって作出される２つのホモ接合生物が、全体として、まさしく出発生物の染色体セットを有するべきである。これは、両親が、その雑種を形成した配偶子と同じ染色体セットを有する場合に達成される。しかし、新しい母系統は、元の母系配偶子の染色体の一部分のみと、元の父系配偶子の他の部分とを有する場合もありうる（「染色体置換」）。その場合も、同じ雑種の作出を望むのであれば、他方の親は、その相補物を有するべきである。
【００２０】
しかし、植物育種では、元親の染色体のすべてではない１つまたはそれ以上を有する新しい系統を、異なる親と組み合わせることもできる。したがって、新しいホモ接合系統そのものが、新たな所望の最終産物になりうる。これは、元親の染色体組成を有する系統にも、染色体の新しい組み合わせを有する系統にもあてはまる。
【００２１】
組換えは、さまざまな手段によって、特にドミナントトランスジェニック法、ドミナントネガティブ突然変異または化学物質による処理などによって、防止または抑制することができる。
【００２２】
第１の実施形態では、組換えの防止または抑制が、組換えに関与する１つまたはそれ以上の標的遺伝子を妨害することによって達成される。標的遺伝子としては、二本鎖切断、染色体対合、乗換えおよび姉妹染色分体の分離に関与するものを挙げることができる。
【００２３】
二本鎖切断の形成に関与する標的遺伝子（ＧｅｎＢａｎｋアクセッション番号）は、酵母で同定されたＳＰＯ１１（Ｊ０２９８７．１）、ＭＥＲ１（Ｍ３１３０４．１）、ＭＥＲ２（Ｍ３８３４０．１）、ＭＲＥ２（Ｄ１１４６１．１）、ＭＥＩ４（Ｍ８４７６５．１）、ＲＥＣ１０２（Ｍ７４０４５．１）、ＲＥＣ１０４（Ｚ１５００７．１）、ＲＥＣ１１４（Ｚ１４３１５．１）、ＭＥＫ１／ＭＲＥ４（Ｘ６３１１２．１）、ＲＥＤ１（Ｘ１６１８３．１）、ＨＯＰ１（Ｊ０４８７７．１）、ＲＡＤ５０（Ｘ１４８１４．１）、ＭＲＥ１１（Ｕ６０８２９．１）、ＸＲＳ２（Ｌ２２８５６．１）、または他の種に由来するそれらの機能的ホモログである。
【００２４】
染色体対合および／または鎖交換反応に関与する標的遺伝子（ＧｅｎＢａｎｋアクセッション番号）は、酵母で同定されたＲＡＤ５４／ＴＩＤ１（Ｍ６３２３２．１）、ＤＭＣ１（Ｍ８７５４９．１）、ＭＮＤ１（タンパク質アクセッションＮＰ＿０１１３３２．１）、ＳＡＥ２（Ｕ４９４４７．１）、ＳＡＥ３（Ｕ８２５４６．１）、ＲＥＤ１（Ｘ１６１８３．１）、ＨＯＰ１（Ｊ０４８７７．１）、ＨＯＰ２（ＡＦ０７８７４０．１）、ＲＥＣ８（ＡＪ２２３２９９．１）、ＭＥＲ１（Ｍ３１３０４．１）、ＭＲＥ２（Ｄ１１４６１．１）、ＺＩＰ１（Ｌ０６４８７．１）、ＺＩＰ２（タンパク質アクセッション：ＮＰ＿０１１２６５．１）、ＭＥＩ５（Ｌ０３１８２．１）、ＲＡＤ５１（Ｘ６４２７０．１）、ＲＡＤ５２（Ｍ１０２４９．１）、ＲＡＤ５５（Ｕ０１１４４．１）、ＲＡＤ５７（Ｍ６５０６１．１）、ＲＰＡ（Ｍ６０２６２．１）、ＳＭＣ３（Ｙ１４２７８．１）、ＳＣＣ１（Ｙ１４２８０．１）、ＭＳＨ２（Ｍ８４１７０．１）、ＭＳＨ３（Ｍ９６２５０．１）、ＭＳＨ６（ＡＬ０３１５４５）、ＰＭＳ１（Ｍ２９６８８．１）、ＭＥＲ３（Ｐ５１９７９）、ＤＤＣ１（タンパク質アクセッションＮＰ＿０１５１３０．１）、ＭＭＳ４（Ｕ１４０００．１）、シロイヌナズナ（Ａｒａｂｉｄｏｐｓｉｓ ｔｈａｌｉａｎａ）で同定されたＳＯＬＯＤＡＮＣＥＲＳ（ＡＪ４５７９７７．１）、ＫＵ７０（ＡＦ２８３７５９．１）、ＫＵ８０（ＡＦ２８３７５８．１）、線虫（Ｃａｅｎｏｒｈａｂｄｉｔｉｓ ｅｌｅｇａｎｓ）で同定されたＨＩＭ６（ＡＹ０９５２９６．１）、ＣＤＳ１（Ｙ６０Ａ３Ａ．１２）、ＣＤＳ２（Ｔ０８Ｄ２．７）、ラット（Ｒａｔｔｕｓ ｎｏｒｖｅｇｉｃｕｓ）で同定されたＳＣＰ３（Ｘ７５７８５．１０）、キイロショウジョウバエ（Ｄｒｏｓｏｐｈｉｌａ ｍｅｌａｎｏｇａｓｔｅｒ）で同定されたＭＥＩ２１８（Ｕ３５６３１．２）、または他の種に由来するそれらの機能的ホモログである。
【００２５】
組換え複合体が形成された後（二重ホリディ接合部）、これらは乗換え事象か非乗換え事象（遺伝子変換と呼ばれる）のどちらかを起こす。ほとんどの組換え複合体は遺伝子変換をもたらし、わずかな乗換え事象だけが組換えをもたらす。減数分裂のこの最後の時期を妨害して、より多くの遺伝子変換が起こるようにすれば、組換え頻度の低下が起こるが、その妨害は、次に挙げる遺伝子からなる群より選択される標的遺伝子（ＧｅｎＢａｎｋアクセッション番号）を介して達成することができる。酵母由来のＳＧＳ１（Ｕ２２３４１．１）、ＭＳＨ４（Ｕ１３９９９．１）、ＭＳＨ５（Ｌ４２５１７．１）、ＺＩＰ１（Ｌ０６４８７．１）、ＺＩＰ２（タンパク質アクセッション：ＮＰ＿０１１２６５．１）、ＭＬＨ１（Ｕ０７１８７．１）、ＭＥＣ１（Ｕ３１１０９．１）、ＭＬＨ３（タンパク質アクセッション：ＮＰ＿０１５１６１．１）または他の種に由来するそれらの機能的ホモログ。
【００２６】
本発明では、上記の遺伝子が最初に同定された生物に由来する上記の遺伝子を利用するか、または他の生物（例えば植物）の対応する遺伝子であって同じ名称および／または同じ機能を有するもの（本明細書では「他の種に由来するそれらの機能的ホモログ」と呼ぶ）を利用することができる。減数分裂期組換えに関与する上記遺伝子の機能的ホモログは、減数分裂期組換えを抑制すべき植物または他の種における改変の潜在的標的となる。それらがコードしている産物が同じまたは類似する生物学的機能を果たすという事実は、これらの遺伝子が機能的ホモログでない遺伝子よりも有意に高いレベルの一致度を有するということを、必ずしも意味しない。
【００２７】
本発明によれば、（候補）標的遺伝子とは、ある生物のゲノム内に存在する遺伝子であって、その発現を定量的および／または定性的に改変することにより、減数分裂期組換えを起こしていない機能的半数体胞子または前記遺伝子が改変されていない場合と比較して減数分裂期組換えを起こしている頻度が少ない機能的半数体胞子の形成を特徴とする減数分裂プロセスの改変が、前記生物内で起こるような遺伝子と定義される。
【００２８】
相同であってもよいが必ずしもその必要はないさまざまな遺伝子およびそれらの機能的ホモログが（候補）標的遺伝子になりうる。本発明の標的遺伝子に唯一共通する特徴は、それらを改変すると減数分裂期組換えが抑制されるという事実である。
【００２９】
改変する標的遺伝子を選択したら、改変は、さまざまな方法で達成することができる。
【００３０】
第１の実施形態では、標的遺伝子の妨害が、その転写を防止することからなる。これは、標的遺伝子プロモーターに対するＲＮＡオリゴヌクレオチド、ＤＮＡオリゴヌクレオチドまたはＲＮＡｉ分子を使って達成することができる。
【００３１】
もう一つの選択肢として、標的遺伝子プロモーターに作用する負の転写因子の発現によって転写を妨げる。そのような負の転写因子は天然の因子でも人工的な因子でもよい。人工的な負の転写因子は、一般的な転写抑制因子にカップリングした改変多指（ｐｏｌｙｄａｃｔｙｌ）ジンクフィンガー型転写因子の過剰発現によって、使用することができる。
【００３２】
さらにもう一つの実施形態によれば、標的遺伝子の妨害は、標的遺伝子ｍＲＮＡを不安定化すること、特にアンチセンスＲＮＡ、ＲＮＡｉ分子、ウイルス誘導性遺伝子サイレンシング（ＶＩＧＳ）分子、共抑制因子分子、ＲＮＡオリゴヌクレオチドまたはＤＮＡオリゴヌクレオチドから選択される、標的遺伝子ｍＲＮＡに相補的な核酸分子を使って不安定化することからなる。
【００３３】
もう一つの実施形態として、標的遺伝子の妨害は、標的遺伝子の発現産物を阻害することからなる。これは、１つまたはそれ以上のドミナントネガティブ核酸構築物の発現産物、標的遺伝子産物と相互作用する１つまたはそれ以上の抑制因子の過剰発現、または１つもしくは複数の化学化合物を使って達成することができる。
【００３４】
さらに、標的遺伝子の妨害は、標的遺伝子中に１つまたはそれ以上の突然変異を導入してその生物学的機能の混乱を引き起こすことからなることもできる。前記１つまたはそれ以上の突然変異は、１つまたはそれ以上の化学化合物および／または物理的手段および／または遺伝要素の挿入によってランダムに導入することができる。適切な化学化合物はエチルメタンスルホネート、ニトロソメチルウレア、ヒドロキシルアミン、プロフラビン、Ｎ−メチル−Ｎ−ニトロソグアニジン、Ｎ−エチル−Ｎ−ニトロソウレア、Ｎ−メチル−Ｎ−ニトロ−ニトロソグアニジン、硫酸ジエチル、エチレンイミン、アジ化ナトリウム、ホルマリン、ウレタン、フェノールおよび酸化エチレンである。使用することができる物理的手段には、ＵＶ照射、高速中性子ばく露、Ｘ線およびガンマ線照射が含まれる。遺伝要素はトランスポゾン、Ｔ−ＤＮＡ、またはレトロウイルス要素である。
【００３５】
突然変異は、相同組換えまたはオリゴヌクレオチドに基づく突然変異誘発によって、特異的に導入することもできる。
【００３６】
本発明のさらにもう一つの実施形態によれば、組換えの防止または抑制は、紡錘体の形成を妨げる化学化合物によって、または異数性を誘導する化学化合物によって達成される。
【００３７】
半数体細胞が形成される前または半数体細胞が形成されている間に組換えが防止または抑制されるように出発植物を処理した後、これらの細胞を単離して、完全な植物の再生に使用する。そのような植物は半数体であり、自発的にまたは他の手段、例えばコルヒチンによる処理などによって、二倍体になることができる。
【００３８】
半数体細胞は、胞子母細胞などの生殖系列細胞に由来するか、または自然のプロセスもしくは誘導されたプロセスによって半数体になった体細胞に由来することができる。
【００３９】
半数体植物が二倍体化すれば、それはすべての染色体についてホモ接合であり、さまざまな目的に使用することができる。
【００４０】
種皮または内胚乳の分子解析により、逆育種の対象である雑種の元親の染色体組成を導き出すこと（いわゆる「元親系統レスキュー（ｏｒｉｇｉｎａｌ  ｐａｒｅｎｔａｌ  ｌｉｎｅ  ｒｅｓｕｃｅ）」）が可能である。内胚乳は２倍の母系遺伝子量を含む。定量的アッセイを使って、どの染色体が母親（二倍の遺伝子量）に由来し、どれが父親（一倍の遺伝子量）に由来するかを決定することができる。種皮は母系由来であり、母親に由来する染色体組成を表す。
【００４１】
Ｆ１雑種の作出は、ここに、完全に逆の順序で行うことができるようになった。いわゆる元親系統を選択して、適切な組み合わせを試験する代わりに、好適であると予想される対立遺伝子の組み合わせを有するヘテロ接合植物を選択し、同じ植物のＦ１雑種種子の生産に使用することができる対応する親系統を、この植物から得ることができる。このプロセスを本明細書では「逆育種（ｒｅｖｅｒｓｅ  ｂｒｅｅｄｉｎｇ）」と呼ぶ。
【００４２】
重要なことに、後述するとおり、出発遺伝子型そのものの効率のよい再現だけでなく、個々の染色体を選択して、それをホモ接合母系、ホモ接合父系またはヘテロ接合型のいずれかに回収することもできるので、逆育種技術により、植物育種プロセスにおける自由度がかなり増大する。
【００４３】
逆育種は、減数分裂期組換えの防止を、効率のよい親系統作製方法と併用することによって、効果的に行うことができ、これは、好ましい一実施形態では、倍加半数体植物の作出および／または分子遺伝子タイピング技術に関係する。他の方法は、第二世代復旧（ｓｅｃｏｎｄ  ｇｅｎｅｒａｔｉｏｎ  ｒｅｓｔｉｔｕｔｉｏｎ）と、自家受粉である。後者の場合は、組換えが防止または抑制された植物を自殖させて自殖種子を生産する。次に、分子遺伝子タイピング技術を使って、そのＳ１でホモ接合植物を同定する。
【発明を実施するための最良の形態】
【００４４】
したがって本発明は、半数体細胞を作出するためのプロセスにおける組換えの防止または抑制、ならびにこれらの細胞からのホモ接合系統の作出に関する。
【００４５】
半数体細胞は減数分裂の結果であることができる。また半数体細胞は体細胞からも得られる。後者の場合は化学化合物を使って細胞を半数体化することができる。もう一つの選択肢として、還元的分割（ｒｅｄｕｃｔｉｏｎａｌ  ｇｒｏｕｐｉｎｇ）を誘導する。還元的分割では、染色体が紡錘糸の助けを借りず、ＤＮＡ複製も伴わずに、娘細胞に分配される。細胞分裂後に、半数体細胞が形成される。還元的分割は（根）分裂組織またはプロトプラストをカフェインなどの化学物質で処理することによって、またはその化学物質の遺伝子標的を遺伝子構築物で中和することによって誘導することができる。中和構築物の構成的発現は致死性であるだろうから、この構築物の発現は誘導性でなければならない。
【００４６】
しかし本発明によれば、半数体細胞は、好ましくは減数分裂プロセスによって得られる。減数分裂のプロセスは、生きている生物の生活環において、遺伝的変異が生成する中心的事象を形成する。またこれは、植物の生活環で交互に出現する二倍性胞子体世代と半数性配偶体世代の間の移行を特徴づけるプロセスでもある。減数分裂を起こす雌性生殖器官中の特殊な細胞は、大胞子母細胞と呼ばれ、子房内部の分化した胚珠に埋まっている。胚珠形成では、多くの有糸分裂事象が、下皮細胞から発生する数個の胚原細胞のうち胚珠一つにつき一つの大胞子母細胞の分化をもたらす。
【００４７】
雄性生殖組織（葯）では、類似のプロセスによって小胞子母細胞の形成が起こる。ただし胚原細胞は小胞子母細胞に分化する前に数回の有糸分裂を起こす。結果として、それぞれの葯は多数の小細胞母細胞を含むことになる。
【００４８】
これらの分化プロセスの初期機能に障害を有するトウモロコシおよびアラビドプシス（Ａｒａｂｉｄｏｐｓｉｓ）の突然変異体がいくつか同定されている。トウモロコシのｍａｃ１（ｍｕｌｔｉｐｌｅ  ａｒｃｈｅｓｐｏｒｉａｌ  ｃｅｌｌｓ）突然変異体は、下皮細胞を有糸分裂経路から減数分裂経路に引き出すのに役割を果たす遺伝子に障害を持っている（Ｓｈｅｒｉｄａｎ，Ｗ．Ｆ．ら（１９９９）Ｇｅｎｅｔｉｃｓ  １５３，９３３−９４１）。アラビドプシス（Ａｒａｂｉｄｏｐｓｉｓ）のｓｐｌ（ｓｐｏｒｏｃｙｔｅｌｅｓｓ）突然変異体は、胚原細胞からの大胞子母細胞および小胞子母細胞の分化に障害を持っている（Ｙａｎｇ，Ｗ−Ｃら（１９９９）Ｇｅｎｅｓ  Ｄｅｖ．１３，２１０８−２１１７）。
【００４９】
減数母細胞と総称される大胞子母細胞と小胞子母細胞は減数分裂を起こし、その結果、減数母細胞１つにつき４つの半数体胞子を生成する。４つの雌性胞子または大胞子のうち３つはカロースの沈着によって変性する。生き残った大胞子は、３回の核分裂とそれに続く細胞形成を経て、雌性配偶体または胚嚢に分化する。
【００５０】
４つの雄性胞子または小胞子は通常は一緒にとどまって、いわゆる四分子構造を形成する。小胞子から雄性配偶体が分化すると、この四分子構造は解消され、雄性配偶体または花粉は自由な物体として挙動するようになる。
【００５１】
雌性減数母細胞と雄性減数母細胞の形成ならびに大胞子および小胞子のそれぞれ胚嚢および花粉への分化につながる細胞プロセスには有意な相違があるものの、雌性および雄性減数分裂中に起こる細胞学的事象は極めて類似しており、共通する遺伝子産物の関与が示唆される。
【００５２】
しかし、これは必ずしも、雌性および雄性減数分裂中の各事象が同一の遺伝子座によって制御されることを意味しない。例えばアラビドプシス（Ａｒａｂｉｄｏｐｓｉｓ）の場合、雄性減数分裂にはＡＳＫ１遺伝子が特異的に関与する（Ｙａｎｇ，Ｍ．ら（１９９９）Ｐｒｏｃ．Ｎａｔｌ．Ａｃａｄ．Ｓｃｉ．ＵＳＡ  ９６，１１４１６−１１４２１）。一方、ＳＷＩ１（Ｍｏｔａｍａｙｏｒ，Ｊ．Ｃ．（２０００）Ｓｅｘ．Ｐｌａｎｔ  Ｒｅｐｒｏｄ．１２，２０９−２１８）、ＤＹＡＤ（Ｓｉｄｄｉｑｉ，Ｉ．ら（２０００）Ｄｅｖｅｌｏｐｍｅｎｔ  １２７，１９７−２０７）およびＡＮＴＩＫＥＶＯＲＫＩＡＮ（Ｙａｎｇ，Ｗ−Ｃ．およびＳｕｎｄａｒｅｓａｎ（２０００）Ｃｕｒｒ．Ｏｐｉｎ．Ｐｌａｎｔ  Ｂｉｏｌ．３，５３−５７）は雌性減数分裂に特異的である。
【００５３】
減数分裂中は、多くの細胞学的な時期が識別され、植物では各時期について多くの突然変異体が記載されている。
【００５４】
減数分裂前期と呼ばれる初期には、多くの段階が認められる。レプトテン期と呼ばれる最初の段階では、複製された２つの姉妹染色分体からなる個々の染色体が凝縮を開始し、より短く密になる。同時に、核膜が崩壊し始め、相同染色体が会合を開始する。次の段階はザイゴテン期と呼ばれ、ここでは染色体が完全に凝縮し、相同染色体が整列し、いわゆる対合複合体（ＳＣ）の形成が始まる。アラビドプシス（Ａｒａｂｉｄｏｐｓｉｓ）のｄｉｆ１／ｓｙｎ１突然変異体はＳＣの形成が損なわれている（Ｂｈａｔｔ，Ａ．Ｍ．ら（１９９９）Ｐｌａｎｔ  Ｊ．１９，４６３−４７２；Ｂａｉ，Ｘ．ら（１９９９）Ｐｌａｎｔ  Ｃｅｌｌ  １１，４１７−４３０）。ＤＩＦ１／ＳＹＮ１遺伝子産物は、対合と組換えにおいて機能する酵母コヒーシンＲＥＣ８／ＲＡＤ２１に相同である。パキテン期には、ＳＣの形成がすべての染色体で完了する。この段階で、減数分裂期組換えが起こり、それは二本鎖切断の形成に続いて相同染色体間で染色分体交換が起こることによって開始される。非姉妹染色分体間で樹立され対合複合体の不在下でも存在する物理的連結をキアズマという。ディプロテン期およびディアキネシス期には染色体が完全に凝縮し、核膜は消失し、紡錘糸が形成されている。次に、中期Ｉでは、相同染色体の対が細胞の赤道面に並ぶ。次に、後期Ｉでは、多くの組換え事象を起こしている可能性があってセントロメアによって束ねられている、それぞれ２つの姉妹染色分体からなる相同染色体が、相対する細胞極に向かって移動する。終期Ｉでは、極への移動が完了し、紡錘体が消失し、細胞は分裂を開始する。
【００５５】
次に、これらの細胞は、凝縮した染色体が赤道面に整列することを特徴とする前期ＩＩに入る。紡錘複合体が形成されつつある。中期ＩＩでは、染色体が赤道面に完全に整列し、紡錘複合体が完成する。後期ＩＩと呼ばれる次の時期では、セントロメアが分裂し、姉妹染色分体が相対した極に向かって移動する。終期ＩＩでは、この移動プロセスが完了し、紡錘複合体が消失し始め、細胞分裂が始まる。続いて染色体は、コイルを解いた染色体が核膜内部に存在することを特徴とする間期の様相を取り戻す。
【００５６】
減数分裂ＩＩの最終産物は、４つ一組の遺伝的に異なる半数体細胞であり、これらは有糸分裂を経て配偶体に発育することができる。配偶体は配偶子を生産し、その配偶子は融合すると接合子の形成をもたらし、その接合子は、次世代の胞子体に成長することができる胚に発育する。
【００５７】
胞子体に存在する遺伝的変異は、接合子の形成時に融合された雌性配偶子および雄性配偶子の遺伝子型によって決定される。したがって、この遺伝的変異は、組換え事象による元親の染色体および染色体領域の遺伝子再分配をもたらす減数分裂の際に雌性胞子および雄性胞子が形成される時に生成する。
【００５８】
減数分裂および減数分裂期組換えは、さまざまな生物において、さまざまなレベルで、さまざまな程度に研究されてきた、複雑なプロセスである。減数分裂期組換えが起こる分子機序はまだ完全には明らかになっていない。１つのモデルは二本鎖切断（ＤＳＢ）修復モデルである。このモデルによると、減数分裂期組換えは、２つの相互作用している非姉妹染色分体の１つに二本鎖切断（ＤＳＢ）が形成されることによって始まる。ＤＳＢの形成はタンパク質によって開始される。このタンパク質は酵母で同定されており、そこではＳＰＯ１１タンパク質と呼ばれている。酵母のＳＰＯ１１タンパク質のホモログは、ＲＥＣ１２という名称でシゾサッカロミセス・ポンベ（Ｓｃｈｉｚｏｓａｃｃｈａｒｏｍｙｃｅｓ ｐｏｍｂｅ）に、またアラビドプシス（Ａｒａｂｉｄｏｐｓｉｓ）、ショウジョウバエ（Ｄｒｏｓｏｐｈｉｌａ）、カエノラブディティス（Ｃａｅｎｏｒｈａｂｄｉｔｉｓ）、マウスおよびヒトにも見いだされている。アラビドプシス（Ａｒａｂｉｄｏｐｓｉｓ）は、パラローガスなＳＰＯ１１遺伝子を３つ含むことがわかっている、現時点で唯一の真核生物である。ＳＰＯ１１タンパク質内に存在するホモロジーは、５つの保存されたモチーフに限定されている。
【００５９】
ＤＳＢ形成に続いて、酵母のＭＲＥ１１、ＲＡＤ５０およびＸＲＳ２／ＮＢＳ１が関与するタンパク質複合体によって誘起されるエキソヌクレアーゼ活性が、切断部位の５’末端を３’方向に切除して、２つの３’−ＯＨ一本鎖テールをもたらす。これらのテールのうち一方は、対形成した染色分体の二本鎖ＤＮＡに、相補鎖との塩基対形成を介して侵入する。鎖侵入にはＲｅｃＡ様タンパク質が関与し、そのうちＤＭＣ１は減数分裂期組換えに特異的である。ＤＮＡ修復機構により、２つのホリディ接合部を含む二分子中間体が形成され、酵母ではこれにタンパク質ＭＳＨ４、ＭＳＨ５およびＭＬＨ１が関与する。リゾルベースを含むホリディ接合部解消系は、遺伝子変換または乗換えをもたらしうる。
【００６０】
減数分裂期組換えに特異的な、または有糸分裂期ＤＳＢにもミスマッチ修復にも関与しうる、このプロセスに関与するタンパク質は、数多く同定されている。これらのタンパク質の多くは、そのホモログがシロイヌナズナ（Ａｒａｂｉｄｏｐｓｉｓ ｔｈａｌｉａｎａ）などの植物系で同定されつつあり、対応する遺伝子がクローニングされている。ＳＰＯ１１タンパク質の植物ホモログはシロイヌナズナ（Ａｒａｂｉｄｏｐｓｉｓ ｔｈａｌｉａｎａ）で同定され、ＡｔＳＰＯ１１およびＡｔＤＭＣ１と呼ばれている（Ｃｏｕｔｅａｕ，Ｆ．ら（１９９９）Ｐｌａｎｔ  Ｃｅｌｌ  １１，１６２３−１６３４）。これらは二価染色体安定化と染色体分離に関与する。
【００６１】
本発明によれば、出発生物における組換えは、防止または抑制されるべきである。この防止または抑制は、組換え事象のさまざまなレベルで達成することができる。二本鎖切断が起こらない場合、乗換えが損なわれている場合、および染色体が対形成できない場合には、組換えは起こりえない。これらすべての事象にさまざまな遺伝子が関与する。これらの遺伝子の１つまたはそれ以上の機能を損なうことにより、組換えの防止（オン／オフ）または抑制（レベル低下）が起こる。本願ではそのような遺伝子を「（候補）標的遺伝子」と呼ぶ。
【００６２】
これらの遺伝子の機能の妨害は、共抑制、アンチセンスダウンレギュレーションまたはＲＮＡ干渉などのホモロジー依存的遺伝子サイレンシング機構に基づく数多くの方法、または標的タンパク質の機能を妨害するタンパク質の発現に基づく数多くの方法によって達成することができる。後者の方法は例えばドミナントネガティブ法によるダウンレギュレーションである。
【００６３】
ホモロジー依存的な遺伝子サイレンシング法を利用する場合、サイレンシング効果を達成するために使用する遺伝子構築物は、標的遺伝子の一領域に対して、ヌクレオチドレベルで、ある一致率を有するＤＮＡ断片を含むべきであり、その一致率とは、減数分裂期組換えを起こしていない完全な染色体セットまたは標的遺伝子がダウンレギュレートされていない場合と比較して減数分裂期組換えを起こしている頻度が少ない完全な染色体セットを含む生存可能な半数体胞子の形成が起こる程度まで、当該標的遺伝子をダウンレギュレートするのに十分であるような一致率であるべきである。この結果は、遺伝子のランダムな断片を選択することによって、またはコードされているタンパク質の保存されたドメインをコードする遺伝子のセグメントをサイレンシング断片として選択することによって、達成することができる。
【００６４】
サイレンシングＤＮＡ断片と、与えられた作物種のゲノム中に存在する当該遺伝子の機能的ホモログの特定領域との間の一致率が、十分なレベルのダウンレギュレーションが達成されるほど十分でない場合は、当該遺伝子の機能的ホモログそのものの断片を使って、この機能的ホモログが由来する作物種内で、この機能的ホモログのダウンレギュレーションを達成することができる。
【００６５】
他の作物種に存在する機能的ホモログは、十分なホモロジーがあれば、上記のサイレンシングＤＮＡ断片を使ってダウンレギュレートすることができる。
【００６６】
本発明の好ましい一実施形態では、標的遺伝子の改変が、作物種の遺伝子操作によって達成される。標的遺伝子の改変の性質は、標的遺伝子の発現量が低下することを意味するダウンレギュレーションであってもよいし、標的遺伝子の発現量が増加すること、また要すれば、自然の発現とは異なる時点に起こることを意味する異所性（過剰）発現であってもよい。異所性（過剰）発現の場合、組換えに関与する標的遺伝子は抑制因子機能を有する。
【００６７】
標的遺伝子のダウンレギュレーションには、標的遺伝子とのホモロジーに基づくさまざまな方法を使用することができる。
【００６８】
ある実施形態では、標的遺伝子のダウンレギュレーションが、アンチセンス技術と呼ばれる方法によって達成される。この方法では、遺伝子を、転写プロモーターに対して逆方向に発現させる。これは、通常はＲＮＡとして発現される遺伝子のセグメントが転写プロモーターに対して逆向きになっている遺伝子構築物を植物のゲノムに導入することによって達成することができる。通常、そのような構築物は、アンチセンス構築物と呼ばれる。アンチセンス構築物が植物内で発現すると、その植物は、テンプレートとしてその遺伝子構築物のコーディング鎖を使用して合成される（それゆえにコーディング鎖に相補的な）ＲＮＡ分子を生産するようになる。アンチセンス構築物の発現は、同じ植物内に存在する遺伝子であって、発現するとアンチセンスＲＮＡに相補的なＲＮＡの合成をもたらす１つまたはそれ以上の遺伝子が効果的にサイレンシングされるという結果をもたらす。
【００６９】
もう一つの実施形態では、標的遺伝子のダウンレギュレーションが、共抑制技術と呼ばれる方法によって達成される。この方法では、遺伝子を転写プロモーターに対してセンス方向に発現させる。これは、通常はＲＮＡとして発現される遺伝子のセグメントが転写プロモーターに対して天然遺伝子と同じ向きになっている遺伝子構築物を植物のゲノムに導入することによって達成することができる。通常、そのような構築物は、共抑制構築物またはセンス共抑制構築物と呼ばれる。
【００７０】
共抑制構築物が植物内で発現すると、その植物は、テンプレートとしてその遺伝子構築物の非コーディング鎖を使用して合成される（それゆえに非コーディング鎖に相補的な）ＲＮＡ分子を生産するようになる。通常、このタイプのＲＮＡを共抑制ＲＮＡという。共抑制構築物の発現は、同じ植物内に存在する遺伝子であって、発現すると相同ＲＮＡの合成をもたらす１つまたはそれ以上の遺伝子が効果的にサイレンシングされるという結果をもたらす。
【００７１】
さらにもう一つの実施形態では、標的遺伝子のダウンレギュレーションが、ＲＮＡ干渉（ＲＮＡｉ）と呼ばれる方法によって達成される。ＲＮＡｉは、二本鎖ＲＮＡ（ｄｓＲＮＡ）分子がそのｄｓＲＮＡに対してホモロジーを有する遺伝子の遺伝子サイレンシングを極めて効果的に媒介するという現象を指す一般用語である。ｄｓＲＮＡが誘発する内在性遺伝子のサイレンシングは、転写後遺伝子サイレンシング（ＲＮＡ転写物が合成され迅速かつ特異的に分解されるという現象）の結果である。ＲＮＡｉは最初は線虫（Ｃａｅｎｏｒｈａｂｄｉｔｉｓ ｅｌｅｇａｎｓ）で作動することが実証された（Ｆｉｒｅ，Ａ．ら（１９９８）Ｎａｔｕｒｅ  ３９１，８０６−８１１）。ＲＮＡｉは植物を含む他の生物で有効であることも実証されている（Ｃｈｕａｎｇ，Ｃ−Ｆ．およびＭｅｙｅｒｏｗｉｔｚ，Ｅ．Ｍ．（２０００）Ｐｒｏｃ．Ｎａｔｌ．Ａｃａｄ．Ｓｃｉ．ＵＳＡ  ９７，４９８５−４９９０）。自己相補的であり、それゆえに二重鎖またはヘアピンＲＮＡを形成することができるＲＮＡを発現するように設計された導入遺伝子は、ウイルス抵抗性および遺伝子サイレンシングの誘発に極めて有効であることが明らかにされている（Ｓｍｉｔｈ，Ｎ．Ａ．ら（２０００）Ｎａｔｕｒｅ  ４０７，３１９−３２０）。
【００７２】
本発明のさらにもう一つの実施形態として、標的遺伝子の抑制は、プロモーターを介した標的遺伝子の特異的転写サイレンシングによって達成することもできる。これは、標的遺伝子のプロモーター領域の一部と同一なヌクレオチド配列を有する二本鎖ＲＮＡ分子の合成をもたらすＲＮＡｉ構築物の発現によって達成することができる。遺伝子のプロモーター領域は、その遺伝子の転写が開始される位置の（転写方向に対して）上流に位置する。
【００７３】
本発明のさらにもう一つの実施形態として、標的遺伝子の抑制は、ウイルス誘導性遺伝子サイレンシングまたはＶＩＧＳと一般に呼ばれている方法論によって達成することもできる（Ｒａｔｃｌｉｆｆら（２００１）Ｐｌａｎｔ  Ｊ．２５，２３７−２４５）。このような方法では、効果的かつ特異的な遺伝子サイレンシングが、サイレンシングする必要がある遺伝子に相同なインサートを有する植物ウイルスに植物を感染させることによって達成される。ＶＩＧＳ系の利点は、標的遺伝子のサイレンシングを行う植物種の合わせて植物形質転換プロトコールを開発する必要がないことである。
【００７４】
これらすべての実施形態で、サイレンシング構築物（アンチセンスＲＮＡ、共抑制、ＲＮＡｉもしくはヘアピン構築物、またはＶＩＧＳベクター）は、好ましくは、サイレンシングする必要がある標的配列（遺伝子またはプロモーター）と同一なＤＮＡ断片を含む。しかし一致率は５０〜１００％、好ましくは６０〜１００％、より好ましくは７０〜１００％、さらに好ましくは８０〜１００％、もっとも好ましくは９０〜１００％の範囲であってもよい。
【００７５】
サイレンシング構築物中のＤＮＡ断片の長さは、少なくとも２０ヌクレオチドであるべきだが、それより長くてもよく、サイレンシングする必要がある完全長標的配列までの長さをとりうる。
【００７６】
サイレンシング分子の合成に使用される転写プロモーターは、構成的プロモーターであっても、発生的に調節されるプロモーターであってもよい。プロモーターは化学化合物などによって誘導できるものであってもよい。
【００７７】
サイレンシング構築物の発現とサイレンシングする必要がある標的遺伝子の発現は同時に起こることが好ましい。しかし、必ずしもそうではなく、遺伝子のプロモーターを介したサイレンシングの場合には、これは当てはまらない。なぜならこの方法は、転写物が形成されないように転写を回避するものだからである。その他、転写産物が生産された後に、その転写産物を中和する技術もある。
【００７８】
本発明のさらにもう一つの実施形態として、標的遺伝子の抑制は、ＲＮＡオリゴヌクレオチドの導入による標的遺伝子の特異的サイレンシングによって達成することもできる（Ｔｉｊｓｔｅｒｍａｎら（２００２）Ｓｃｉｅｎｃｅ  ２９５，６９４−６９７）。これは、標的遺伝子のプロモーター領域または転写領域の一部と同一なヌクレオチド配列を有するＲＮＡオリゴヌクレオチドを化学合成し、そのサイレンシングオリゴヌクレオチドを細胞中に導入することによって達成することができる。本発明のこの具体的実施形態の利点は、ある標的作物で逆育種を達成するのにトランスジェニック法を採用する必要がないということである。
【００７９】
ホモロジー依存的な遺伝子サイレンシング機序を利用する他の実施形態と同様に、標的遺伝子をサイレンシングするために用いられるＲＮＡオリゴヌクレオチドは、好ましくは、サイレンシングする必要がある標的遺伝子のプロモーターまたは転写領域の一部と同一なヌクレオチド配列を有する。しかし一致率は５０〜１００％、好ましくは７０〜１００％、さらに好ましくは８０〜１００％、もっとも好ましくは９０〜１００％の範囲であってもよい。一本鎖ＲＮＡオリゴヌクレオチドは、標的遺伝子のプロモーターまたは転写領域のＤＮＡのセンス鎖またはアンチセンス鎖と同一であることができる。もう一つの選択肢として、一本鎖ＲＮＡオリゴヌクレオチドを使用する代わりに、あたかもＲＮＡオリゴヌクレオチドであるかのように設計されたヌクレオチド配列を有する一本鎖ＤＮＡオリゴヌクレオチドを使用することもできる。さらに、二本鎖ＲＮＡおよびＤＮＡオリゴヌクレオチドも使用することができる。
【００８０】
オリゴヌクレオチドは、当業者に周知の方法によって植物または植物細胞中に導入することができる。それらには、例えばポリエチレンを使ったプロトプラストへの取り込みまたは粒子銃による植物または植物部分への取り込みなどがあるが、これに限るわけではない。
【００８１】
標的遺伝子の抑制がＲＮＡ干渉、ＶＩＧＳ、オリゴヌクレオチドなどのホモロジーに基づく方法によって行われる場合は、標的配列に相同な配列であって、組換え抑制または組換え防止の対象となる種のゲノム中に存在する配列の検索を行うことが好ましい。「相同な」という用語は、ここでは、「ホモロジーに基づく標的遺伝子の抑制を達成するために使用される核酸断片に対して、標的遺伝子以外の配列の抑制をもたらす一致レベルを有すること」を意味するものとする。そのような配列が見つかる場合は、ゲノムの他の部分との干渉を回避するために、サイレンシング配列の設計には、標的遺伝子の別の断片を使用することが望ましいだろう。
【００８２】
もう一つの実施形態として、標的遺伝子の活性の抑制は、当業者に周知の方法であるドミナントネガティブ構築物の過剰発現によって達成することもできる。そのような方法では、あるタンパク質または改変タンパク質をコードする遺伝子を、本発明に従って標的遺伝子を抑制する必要がある作物種で過剰発現させる。そのようなタンパク質をコードする遺伝子は通常、ドミナントネガティブ遺伝子と呼ばれる。というのも、（過剰）発現の効果は、優性遺伝因子として受け継がれ、特異的な機能喪失を引き起こしているからである。ドミナントネガティブ構築物を合成するために用いられる転写プロモーターは、構成的プロモーターであってもよいし、発生的に調節されるプロモーターであってもよい。ドミナントネガティブ構築物のプロモーターは化学化合物などによって誘導できるものであってもよい。
【００８３】
ドミナントネガティブ構築物と抑制する必要がある標的遺伝子の発現は、標的遺伝子の効果的な抑制が起こるように、空間的および時間的に調節されるべきである。ドミナントネガティブ構築物と標的遺伝子のプロモーターは、それらが当該植物の本質的に同じ部分で本質的に同時に発現するように調節されることが好ましいが、必ずしもそうではない。
【００８４】
本発明のさらにもう一つの実施形態によれば、標的遺伝子の抑制は、標的遺伝子の天然抑制因子の過剰発現によって達成される。そのような抑制因子として、標的遺伝子のプロモーターに作用する負の転写因子、または標的遺伝子の遺伝子産物とその遺伝子産物がそれ本来の機能を果たしえなくなるような形で相互作用するタンパク質を挙げることができる。抑制因子構築物と抑制する必要がある標的遺伝子の発現は、標的遺伝子の効果的な抑制が起こるように、空間的および時間的に調節されるべきである。抑制因子構築物と標的遺伝子のプロモーターは、空間的および時間的活性に関してよく似た方法で調節されること、すなわち当該植物の本質的に同じ部位で同時に発現されることが好ましいが、必ずしもそうではない。抑制因子構築物のプロモーターは、化学化合物などによって誘導できるものであってもよい。
【００８５】
本発明の具体的一実施形態では、雌性または雄性減数分裂期組換えの抑制を特異的にもたらすような、標的遺伝子を改変するサイレンシング構築物を使用する。これは、雌性減数分裂期組換えまたは雄性減数分裂期組換えのどちらかで特異的に活性を示す遺伝子産物の活性を妨害することによって達成することができる。もう一つの選択肢として、これは、雌性または雄性減数分裂中に特異的に活性を示すサイレンシング構築物を使って達成することもできる。後者の種類の構築物は、雌性もしくは雄性減数分裂期組換えに特異的に関与する標的遺伝子を妨害するか、または雌性減数分裂期組換えと雄性減数分裂期組換えの両方に関与する標的遺伝子を妨害することができる。
【００８６】
本発明のこの具体的実施形態は、減数分裂期組換えの抑制が胞子の品質の低下、例えば機能的な半数体胞子の数の減少などをもたらす場合に、実用的である。雌性減数分裂期組換えは抑制されるが雄性減数期組換えは抑制されない植物を効率のよい花粉源として使用することによって新しい雑種を作出することができ、逆に、雄性減数分裂期組換えが抑制される植物は効率のよい雌系統として、新しい雑種の作出に使用することができる。
【００８７】
トランスジェニック法を使って組換えを防止または抑制する場合は、いわゆるキメラ遺伝子構築物を、例えばＳａｍｂｒｏｏｋ，ＪおよびＲｕｓｓｅｌｌ，Ｄ．Ｗ．「Ｍｏｌｅｃｕｌａｒ  ｃｌｏｎｉｎｇ，ａ  ｌａｂｏｒａｔｏｒｙ  ｍａｎｕａｌ」（第３版，Ｃｏｌｄ  Ｓｐｒｉｎｇ  Ｈａｒｂｏｒ  Ｌａｂｏｒａｔｏｒｙ  Ｐｒｅｓｓ，ニューヨーク州コールドスプリングハーバー）などに記載されている当業者に周知の標準的分子クローニング技術を使って作製することができる。そのような構築物は、さまざまな供給源に由来するさまざまなＤＮＡ断片からなっているという意味で「キメラ」である。
【００８８】
活性、特に標的遺伝子の転写または翻訳、さらには転写物プロセシング、タンパク質修飾、タンパク質ターゲティング、複合体形成および活性を改変するために作製されるキメラ構築物は、通常、減数分裂期組換えの抑制を達成するために使用されているＤＮＡ断片に作動可能に連結されたプロモーター配列およびポリアデニル化シグナル配列を、機能的なキメラ遺伝子構築物が生成するような形で含んでいる。
【００８９】
キメラ遺伝子構築物を植物のゲノムに導入するには、例えばＳａｍｂｒｏｏｋ，ＪおよびＲｕｓｓｅｌｌ，Ｄ．Ｗ．「Ｍｏｌｅｃｕｌａｒ  ｃｌｏｎｉｎｇ，ａ  ｌａｂｏｒａｔｏｒｙ  ｍａｎｕａｌ」（第３版，Ｃｏｌｄ  Ｓｐｒｉｎｇ  Ｈａｒｂｏｒ  Ｌａｂｏｒａｔｏｒｙ  Ｐｒｅｓｓ，ニューヨーク州コールドスプリングハーバー）などに記載されている当業者に周知の標準的分子クローニング技術を使って、形質転換ベクターを作製する。
【００９０】
本発明に従って使用することができるプロモーター配列には、ＣａＭＶ  ３５Ｓプロモーター（例えば構成的プロモーター（Ｏｄｅｌｌ，Ｊ．Ｔ．ら（１９８５）Ｎａｔｕｒｅ  ３１３，８１０−８１２）、アラビドプシス（Ａｒａｂｉｄｏｐｓｉｓ）アクチン２プロモーター（Ａｎ，Ｙ．Ｑ．（１９９６）Ｐｌａｎｔ  Ｊ．１０，１０７−１２１）、トウモロコシ・ユビキチン１プロモーター（Ｄｒａｋａｋａｋｉ，Ｇ．ら（２０００）Ｔｒａｎｓｇｅｎｉｃ  Ｒｅｓ．９，４４５−４５２）、イネ・アクチン１プロモーター（ＭｃＥｌｒｏｙ，Ｄ．ら（１９９０）Ｐｌａｎｔ  Ｃｅｌｌ  ２，１６３−１７１）およびアラビドプシス（Ａｒａｂｉｄｏｐｓｉｓ）ファルネシル二リン酸シンターゼ１Ｓプロモーター（Ｃｕｎｉｌｌｅｒａ，Ｎ．ら（２０００）Ｐｌａｎｔ  Ｍｏｌｅｃ．Ｂｉｏｌ．４４，４７４−４８５）などの構成的プロモーター、またはアラビドプシス（Ａｒａｂｉｄｏｐｓｉｓ）アクチン１１プロモーター（Ｈｕａｎｇ，Ｓ．ら（１９９７）Ｐｌａｎｔ  Ｍｏｌｅｃ．Ｂｉｏｌ．３３，１２５−１３９）、アラビドプシス（Ａｒａｂｉｄｏｐｓｉｓ）ＤＭＣ１プロモーター（Ｋｌｉｍｙｕｋ，Ｖ．Ｉ．およびＪｏｎｅｓ，Ｊ．Ｄ．（１９９７）Ｐｌａｎｔ  Ｊ．１１，１−１４）またはアラビドプシス（Ａｒａｂｉｄｏｐｓｉｓ）ＳＰＯ１１−１プロモーター（Ｇｒｅｌｏｎ，Ｍ．（２００１）ＥＭＢＯ  Ｊ．３，５８９−６００）などの発生的に調節されるプロモーターが含まれるが、これらに限定されない。
【００９１】
その他、発生的に調節されるプロモーターは、標的遺伝子自体に由来してもよい。
【００９２】
使用することができる誘導性プロモーター系は、エタノール誘導性遺伝子スイッチ系（Ｃａｄｄｉｃｋ，Ｍ．Ｘ．ら（１９９８）Ｎａｔ．Ｂｉｏｔｅｃｈｎｏｌ．１６，１７７−１８０）およびグルココルチコイド誘導系（Ｓｃｈｅｎａ，Ｍ．ら（１９９１）Ｐｏｒｃ．Ｎａｔｌ．Ａｃａｄ．Ｓｃｉ．ＵＳＡ．８８，１０４２１−１０４２５）である。
【００９３】
本発明の構築物に使用してもよいポリアデニル化配列には、例えばアグロバクテリウム（Ａｇｒｏｂａｃｔｅｒｉｕｍ）オクトピンシンターゼポリアデニル化シグナル（ＭａｃＤｏｎａｌｄら（１９９１）Ｎｕｃｌｅｉｃ  Ａｃｉｄｓ．Ｒｅｓ．１９，５５７５−５５８１）、エンドウ・リブロース二リン酸カルボキシラーゼポリアデニル化シグナル（Ｈｕｎｔ，Ａ．Ｇ．およびＭａｃＤｏｎａｌｄ  Ｍ．Ｈ．（１９８９）Ｐｌａｎｔ  Ｍｏｌｅｃ．Ｂｉｏｌ．１３，１２５−１３８）などがあるが、これらに限るわけではない。
【００９４】
本発明のさらにもう一つの態様によれば、組換えの防止または抑制は、当該生物のゲノム中に変異をランダムに誘発し、所望する組換えの抑制または防止をもたらす変異を標的遺伝子内に獲得した突然変異体を選択することによって達成することもできる。
【００９５】
本発明のこの態様の好ましい実施形態では、標的遺伝子の改変が、当該作物種の突然変異誘発によって達成される。植物ゲノムには、例えばエチルメタンスルホネートまたはニトロソメチルウレアによる処理のような化学的手段、モルフォジェニックス（Ｍｏｒｐｈｏｇｅｎｉｃｓ）技術（ＢｉｏＷｏｒｌｄ  Ｔｏｄａｙ（２０００），１１（１０８），１−２）、またはＵＶ照射、高速中性子ばく露などの物理的手段、またはトランスポゾンもしくはＴ−ＤＮＡを使った挿入突然変異誘発によって、ランダムな突然変異を導入することができる。特異的突然変異は、相同組換え（Ｐａｓｚｋｏｗｓｋｉ，Ｊ．ら（１９８８）ＥＭＢＯ  Ｊ．７，４０２１−４０２６；Ｍｅｎｇｉｓｔｅ，Ｔ．およびＰａｓｚｋｏｗｓｋｉ，Ｊ．（１９９９）Ｂｉｏｌ．Ｃｈｅｍ．３８０，７４９−７５８；Ｖｅｒｇｕｎｓｔ，Ａ．Ｃ．およびＨｏｏｙｋａａｓ，Ｐ．Ｊ．Ｊ．（１９９９）Ｃｒｉｔ．Ｒｅｖ．Ｐｌａｎｔ  Ｓｃｉ．１８，１−３１）またはオリゴヌクレオチドに基づく突然変異誘発（Ｏｈ，Ｔ．Ｊ．およびＭａｙ，Ｇ．Ｄ．（２００１）Ｃｕｒｒ．Ｏｐｉｎ．Ｂｉｏｔｅｃｈｎｏｌ．１２，１６９−１７２）によって植物ゲノム中に挿入することができる。
【００９６】
標的遺伝子が突然変異した植物は、標的遺伝子内に存在する異常を検出することができるＴＩＬＬＩＮＧ（Ｃｏｌｂｅｒｔ，Ｔ．（２００１）Ｐｌａｎｔ  Ｐｈｙｓｉｏｌ．１２６，４８０−４８４）やＤＥＬＥＴＡＧＥＮＥ（Ｌｉ，Ｘ．ら（２００１）１２ｔｈ  Ｉｎｔｅｒｎａｔｉｏｎａｌ  ｃｏｎｆｅｒｅｎｃｅ  ｏｎ  Ａｒａｂｉｄｏｐｓｉｓ  ｒｅｓｅａｒｃｈ（Ａｂｓｔｒａｃｔ  ｎｒ．２））などのスクリーニング方法によって、容易に同定することができる。
【００９７】
好ましくは、標的遺伝子の改変が条件付、すなわち、その突然変異体表現型が、当該植物を特定の環境条件（例えば特定の温度）にばく露した場合にのみ顕性になる突然変異体を選択する。これにより、植物を特定環境にばく露することによってのみ改変を誘導することが可能になる。改変が顕性にならない条件では、突然変異体を通常の交配と種子生産に使用することができる。
【００９８】
本発明のさらにもう一つの好ましい実施形態では、標的遺伝子の産物を妨害することで減数分裂期組換えの阻害または減少をもたらす特異的化学化合物で当該作物種を処理することによって、標的遺伝子の改変が達成される。そのような化学化合物の一例は、トポイソメラーゼＩＩの阻害によって減数分裂期組換えの阻害をもたらすエトポシドである（Ｒｕｓｓｅｌｌ，Ｌ．Ｂ．ら（２０００）Ｍｕｔａｔ．Ｒｅｓ．４６４，２０１−２１２）。
【００９９】
本発明のさらにもう一つの好ましい実施形態として、減数分裂前の細胞を一定の化学化合物で処理することにより、異数性を化学的に誘導することができる。これは、これらの前減数分裂細胞を含む蕾を、浸漬または噴霧で、化学処理することによって行うことができる。特許出願ＷＯ００５４５７４に示されているように、このような方法を適用して、減数分裂期組換えの改変を効果的に行うことができる。化学化合物が異数性を誘導する機序は必ずしも明らかではないが、有糸分裂および減数分裂中の紡錘体機構、隔膜形成体機能およびキアズマ形成の妨害によって異数性が起こりうることを示す実験的証拠がある。異数性を誘導するために適用することができる化学物質は、例えばエトポシド、ポドフィリン、ベノミル、マレイン酸ヒドラジド、アトラジン、ブタクロル、ＡＰＭ、グリセオフルビン、ビンブラスチン硫酸、ジアゼパム、コルヒチン、塩化カドミウム、エコナゾール、ピリメタミン、チアベンダゾール、チメロザールまたはノコダゾールなどの化学物質から選択されるが、これらに限るわけではない。異数性誘導化学化合物とそれらの作用様式ならびにそれらの有効濃度に関するさらなる詳細は、Ｃ．Ｂ．Ｓ．Ｒ．Ｓｈａｒｍａ（１９９０）Ｍｕｔａｇｅｎｅｓｉｓ  ５，１０５−１２５とその参考文献ならびにＳａｎｄｈｕら（１９９１）Ｍｕｔａｇｅｎｅｓｉｓ  ６，３６９−３７３に記載されている。
【０１００】
異数性を誘導する化学化合物で蕾を処理した後、処理した蕾から胞子を単離し、それを再生させることができる。ホモ接合植物は、染色体数の倍加によって、例えば自発的倍加がまだ起こっていない場合にはコルヒチンによる処理などによって得ることができる。この方法によって得られる倍加半数体植物の集団を、特定染色体上に存在することがわかっているマーカー対立遺伝子の分子検出により、完全な一揃いの染色体の存在について解析することができる。
【０１０１】
雌性発生は、化学物質処理によって達成される逆育種を応用するのにとりわけ適している。そのような方法では、雌性発生を応用するために使用される組織培養培地によって、特定化学物質を適用することができる。殺菌した子房を、減数分裂期組換えを防止する化学化合物で直接的に処理することもできるだろう。この形態の雌性発生が逆育種に適している理由は、雌性発生組織培養用の外植体として採取された子房組織の胚珠では、そのすべてではないにしても一部において、減数分裂がまだ起こっているということである。
【０１０２】
減数分裂期組換えが起こる段階の前にインビトロ操作することが可能な他の培養技術も、本発明での使用に適している。
【０１０３】
上記の場合、半数体は減数分裂の結果だった。しかし、体細胞から出発して半数体細胞を作出することもできる。
【０１０４】
したがって、本発明のさらにもう一つの好ましい実施形態として、組換えを起こしていない元親の染色体を含む植物の作出は、紡錘糸の助けを借りずに細胞内で染色体分離を引き起こすカフェインなどの化学化合物で植物、植物器官または植物細胞を処理することによって達成することができる。ほとんどの場合、染色体は２つの群に均等に分離し、それらは細胞質分裂後に、半数体細胞をもたらす。自発的な倍加がまだ起こっていない場合は、例えばコルヒチンなどによってこれらの細胞中の染色体を倍加させ、植物に再生させることができる。
【０１０５】
染色体は組換えを起こさずに分離するので、それらの構成は、元親における構成とまだ同じである。さらに、半数体細胞が形成されるので、染色体数の倍加により、完全にホモ接合の植物が得られる。しかし、染色体の分布はランダムであるため、得られるホモ接合植物は、母系および父系染色体対の考えうる組み合わせのすべてを含みうる。
【０１０６】
この方法は、組換えを起こしていない半数の染色体を含む祖先細胞を作出するために体細胞を使用する逆育種の具体的一実施形態である。したがってこの方法は、減数分裂期組換えを抑制する必要がない逆育種の一形態である。これは、逆育種が、外観上異なる方法によって達成することができる新規な育種概念であることを表している。
【０１０７】
標的作物種で発現させた場合に、遺伝子の発現を、減数分裂期組換えを起こしていない完全な染色体セットまたはこれらの遺伝子が改変されていない場合と比較して減数分裂期組換えを起こしている頻度が少ない完全な染色体セットを含む生存可能な半数体胞子の形成をもたらすことができるような形で、定量的および／または定性的に改変するサイレンシング構築物を本発明に従って作製し終えたら、本発明に従って処理しようとする作物種を、そのような構築物で形質転換する必要がある。
【０１０８】
現在、植物のゲノムにＤＮＡ分子を送達し、安定に組込み、発現させることを可能にする多種多様な技術が存在する。特定遺伝子構築物で形質転換した植物細胞をトランスジェニック植物に再生させるには、これらの植物形質転換技術を適切な組織培養技術と組み合わせる必要がある。
【０１０９】
ある周知の植物形質転換技術は、アグロバクテリウム・ツメファシエンス（Ａｇｒｏｂａｃｔｅｒｉｕｍ ｔｕｍｅｆａｃｉｅｎｓ）と呼ばれる細菌種が自然に持っている、植物細胞のゲノムにＤＮＡのセグメントを送達し安定に組み込むという能力に基づいている（Ｚａｍｂｒｙｓｋｉ，Ｐ．ら（１９８９）Ｃｅｌｌ  ５６，１９３−２０１）。Ｔ−ＤＮＡと呼ばれるこのＤＮＡ片は、通常、細菌細胞内に存在するプラスミド上にある。天然のＴ−ＤＮＡはＤＮＡの送達と組込みにとって重要な機能を含まず、原則として任意のＤＮＡであることができる。Ｔ−ＤＮＡを含むプラスミドはバイナリーベクター（Ｂｅｖａｎ，Ｍ．（１９８４）Ｎｕｃｌｅｉｃ  Ａｃｉｄｓ  Ｒｅｓ．１２，８７１１−８７２１）または融合構造体（ｃｏｉｎｔｅｇｒａｔｅ）ベクター（Ｆｒａｌｅｙ，Ｒ．Ｔ．ら（１９８３）Ｐｒｏｃ．Ｎａｔｌ．Ａｃａｄ．Ｓｃｉ．ＵＳＡ  ８０，４８０３−４８０７）であることができる。
【０１１０】
植物形質転換ベクターを含むアグロバクテリウム（Ａｇｒｏｂａｃｔｅｒｉｕｍ）細胞は、外植体中に存在する細胞にＴ−ＤＮＡを送達するために、葉または実生から得た外植体と共培養することができる（Ｈｏｒｓｃｈ，Ｒ．ら（１９８５）Ｓｃｉｅｎｃｅ  ２２７，１２２９−１２３１）。
【０１１１】
組織培養培地で外植体をインキュベートすると、器官形成または胚形成により、外植体中に存在する細胞の再生が起こる。多くの系では、この再生ステップに先立って、さまざまな長さのカルス期がある。通常、Ｔ−ＤＮＡは、形質転換植物細胞中で発現したときに抗生物質カナマイシンもしくはハイグロマイシンまたは除草剤グリホサートまたはグルホシネート−アンモニウムなどの植物毒性化合物に対する耐性を付与することができる選択マーカー遺伝子を含む。外植体の細胞の再生に際してこれらの植物毒性化合物を組織培養培地に添加すると、非形質転換細胞または選択マーカー遺伝子を十分に発現させない形質転換細胞の成長が妨げられる。
【０１１２】
この原理に従って、次に挙げるようなさまざまな作物種用に、多くの形質転換プロトコールが開発されている。ジャガイモ（Ｄｅ  Ｂｌｏｃｋ，Ｍ．（１９８８）Ｔｈｅｏｒｅｔｉｃａｌ  ａｎｄ  Ａｐｐｌｉｅｄ  Ｇｅｎｅｔｉｃｓ  ７６，７６７−７７４）、レタス（Ｍｉｃｈｅｌｍｏｒｅ，Ｒ．（１９８７）Ｐｌａｎｔ  Ｃｅｌｌ  Ｒｅｐｏｒｔｓ  ６，４３９−４４２）、トマト（ＭｃＣｏｒｍｉｃｋ，Ｓ．（１９８６）Ｐｌａｎｔ  Ｃｅｌｌ  Ｒｅｐｏｒｔｓ  ５，８１−８４）、コショウ、キュウリ（Ｔｒｕｌｓｏｎ，Ａ（１９８６）Ｔｈｅｏｒｅｔｉｃａｌ  ａｎｄ  Ａｐｐｌｉｅｄ  Ｇｅｎｅｔｉｃｓ  ７３，１１−１５）、ニンジン（Ｓｃｏｔｔ，Ｒ．Ｊ．およびＤｒａｐｅｒ，Ｊ．（１９８７）Ｐｌａｎｔ  Ｍｏｌｅｃｕｌａｒ  Ｂｉｏｌｏｇｙ  ８，２６５−２７４）、カリフラワー（Ｄｅ  Ｂｌｏｃｋ，Ｍ．（１９８８）Ｐｌａｎｔ  Ｐｈｙｓｉｏｌ．９１，６９４−７０１）、ブロッコリ（Ｃｈｒｉｓｔｙ，Ｍ．Ｃ．およびＥａｒｌｅ，Ｍ．Ｄ．（１９８９）Ａｕｓｔｒａｌｉａｎ  Ｓｏｃｉｅｔｙ  ｏｆ  Ｐｌａｎｔ  Ｐｈｙｓｉｏｌｏｇｉｓｔｓ，２９ｔｈ  Ａｎｎｕａｌ  Ｍｅｅｔｉｎｇ，Ａｂｓｔｒａｃｔ  ４０）、ナス（Ｇｕｒｉ，Ａ．およびＳｉｎｋ，Ｋ．Ｃ．（１９８８）Ｊ．ｏｆ  Ｐｌａｎｔ  Ｐｈｙｓｉｏｌ．１３３，５２−５５）、サトウダイコン（Ｇａｓｓｅｒ，Ｃ．Ｓ．およびＦｒａｌｅｙ，Ｒ．Ｔ．（１９８９）Ｓｃｉｅｎｃｅ  ２４４，１２９３−１２９９）、アスパラガス（Ｃｏｎｎｅｒ，Ａ．Ｊ．ら（１９８８）Ｎｉｎｔｈ  Ａｕｓｔｒａｌｉａｎ  Ｐｌａｎｔ  Ｂｒｅｅｄｉｎｇ  Ｃｏｎｆｅｒｅｎｃｅ，Ｐｒｏｃｅｅｄｉｎｇｓ．Ａｇｒｉｃｕｌｔｕｒａｌ  Ｒｅｓｅａｒｃｈ  Ｉｎｓｔｉｔｕｔｅ，Ｗａｇｇａ  Ｗａｇｇａ，ｐ．１３１−１３２）、ヒマワリ（Ｂｉｄｎｅｙ，Ｄ．（１９９２）Ｐｌａｎｔ  Ｍｏｌ．Ｂｉｏｌ．１８，３０１−３１３）、アブラナ（Ｔｈｏｍｚｉｋ  Ｊ．Ｅ．（１９９５）Ｍｅｔｈｏｄｓ  Ｍｏｌ．Ｂｉｏｌ．４４，７７−８９）、トウモロコシ（Ｉｓｈｉｄａ，Ｙ（１９９６）Ｎａｔ．Ｂｉｏｔｅｃｈｎｏｌ．１４，７４５−７５０）、コムギ（Ｃｈｅｎｇ，Ｍ．ら（１９９７）Ｐｌａｎｔ  Ｐｈｙｓｉｏｌ．１１５，９７１−９８０）、イネ（Ｃｈａｎ，Ｍ．Ｔ．（１９９３）Ｐｌａｎｔ  Ｍｏｌｅｃ．Ｂｉｏｌ．２２，４９１−５０６）。
【０１１３】
植物形質転換を行うための代替法として、ＤＮＡ送達がカルシウム、ポリエチレングリコール、またはエレクトロポレーションによって媒介されるプロトプラストの形質転換が挙げられる（Ｐａｚｋｏｗｓｋｉら（１９８４）ＥＭＢＯ  Ｊ．３，２７１７−２７２２；Ｐｏｔｒｙｋｕｓら（１９８５）Ｍｏｌｅｃ．Ｇｅｎ．Ｇｅｎｅｔ．１９９，１６９−１７７；Ｆｒｏｍｍら（１９８５）Ｐｒｏｃ．Ｎａｔｌ．Ａｃａｄ．Ｓｃｉ．ＵＳＡ  ８２，５８２４−５８２８；Ｓｈｉｍａｍｏｔｏ（１９８９）Ｎａｔｕｒｅ  ３３８，２７４−２７６）。その他、炭化ケイ素ウィスカー（Ｄｕｎｗｅｌｌ，Ｊ．Ｍ．（１９９９）Ｍｅｔｈｏｄｓ  Ｍｏｌ．Ｂｉｏｌ．１１１，３７５−３８２）、マイクロインジェクション（Ｈｏｌｍ，Ｐ．Ｂ．ら（２０００）Ｔｒａｎｓｇｅｎｉｃ  Ｒｅｓ．９，２１−３２））またはバイオリスティックス（Ｋｌｅｉｎら（１９８８）Ｐｒｏｃ．Ｎａｔｌ．Ａｃａｄ．Ｓｃｉ．ＵＳＡ  ８５，４３０５−４３０９；Ｂｅｃｋｅｒ，Ｄ（１９９４）Ｐｌａｎｔ  Ｊ．５，２９９−３０７）による形質転換などの方法がある。これらの方法はすべて本発明に有用である。
【０１１４】
まず、サイレンシング構築物を獲得した作物の形質転換体は、選択マーカー遺伝子を発現させるトランスジェニック細胞を選択的に再生させるために使用した選択剤に対する耐性という、それらの表現型によって同定される。次に、耐性形質転換体を分子的にさらに特徴づけて、形質転換ＤＮＡの組込みパターンを調べる。このような解析を行うにはポリメラーゼ連鎖反応（ＰＣＲ）やサザンブロット法などの多くの技術を利用することができ、それらは当業者には周知である（例えばＳａｍｂｒｏｏｋ，ＪおよびＲｕｓｓｅｌｌ，Ｄ．Ｗ．「Ｍｏｌｅｃｕｌａｒ  ｃｌｏｎｉｎｇ，ａ  ｌａｂｏｒａｔｏｒｙ  ｍａｎｕａｌ」（第３版，２００１，Ｃｏｌｄ  Ｓｐｒｉｎｇ  Ｈａｒｂｏｒ  Ｌａｂｏｒａｔｏｒｙ  Ｐｒｅｓｓ，ニューヨーク州コールドスプリングハーバー）に記載されている技術を参照されたい）。好ましくは、形質転換ＤＮＡの完全なコピーを１つ含んでいる形質転換体を選択して、さらに解析する。しかし、複数コピーの形質転換ＤＮＡを含む形質転換体も有用である。形質転換体のゲノム中の形質転換ＤＮＡが発現されるかどうかを解析するには、形質転換体を、形質転換ＤＮＡが存在する結果として改変されると予想されるＲＮＡまたはタンパク質種に関して解析することができる。
【０１１５】
当業者に周知の技術により、トランスジェニック植物を、導入した遺伝子の発現に関して、または導入した遺伝子が標的遺伝子の発現に対して持っている影響に関して、ノーザンブロット法、ＲＴ−ＰＣＲ法、インサイチューハイブリダイゼーション、マイクロアレイ、ウェスタンブロット法、酵素活性測定を使って解析することができる。
【０１１６】
標的遺伝子の発現に改変が起こった結果として生じる表現型の変化も起こりうるが、これは必ずしもそうなるとは限らない。標的遺伝子のダウンレギュレーションによる減数分裂期組換えの抑制が表現型の変化をもたらしうるという事実は、アラビドプシス（Ａｒａｂｉｄｏｐｓｉｓ）のＡｔＳＰＯ１１−１遺伝子におけるノックアウト突然変異の例によって示される（Ｇｒｅｌｏｎ，Ｍ．ら（２００１）ＥＭＢＯ  Ｊ．２０，５８９−６００）。アラビドプシス（Ａｒａｂｉｄｏｐｓｉｓ）におけるＡｔＳＰＯ１１−１遺伝子の発現量が低下するかゼロになった結果として、減数分裂前期Ｉの最後の時点で二価染色体の形成が著しく減少する。これは、減数分裂乗換え事象がなくそれゆえにキアズマが存在しない結果として二価染色体の安定性が低下すると考えることによって説明することができる。この異常にもかかわらず、このアラビドプシス（Ａｒａｂｉｄｏｐｓｉｓ）突然変異体の染色体は、減数分裂中に分離する。ただし、その向きはランダムで、多くの不均衡な非機能的配偶子が生じる。これは、巨視的には、そのような突然変異体植物が半不稔であるという事実、すなわち形成される機能的な花粉および胚嚢が著しく減少し、それゆえに結実が著しく減少するという事実によって観察することができる。この稔性低下表現型は丸ごとの植物のレベルで容易に観察することができるので、標的遺伝子が遺伝子操作、突然変異誘発または化学処理によって改変されている植物を、この現象を利用して同定することができる。この特定の例ではこの表現型上の効果が認められたが、他の系でこの標的遺伝子または他の標的遺伝子の改変した場合には、必ずしも、これが常に同じ程度に起こるとは限らない。標的遺伝子の改変の結果として、アラビドプシス（Ａｒａｂｉｄｏｐｓｉｓ）におけるＡｔＳＰＯ１１−１に関して記載されているような形で、半不稔性が生じる場合、機能的配偶子の数は、半数体染色体の数の関数として相対的に低くなる。
【０１１７】
機能的配偶子の％は、式：（１／２）ｎ×１００％によって見積もることができる。式中、ｎは半数体染色体数である。結実の限界が雌性配偶子によって決定される場合、形成される種子の％は、同じ式によって計算することができる。１２個の半数体染色体を持ち、ＡｔＳＰＯ１１−１の機能的ホモログをダウンレギュレートした場合に同じ表現型を示すアマトウガラシ（Ｃａｐｓｉｃｕｍ ａｎｎｕｕｍ  Ｌ．）のような作物の場合は、生存可能な種子は１／４０９６×１００％＝０．０２４％しか生産されない。生存可能な種子がこのように少量では、植物育種における減数分裂期組換えの抑制の産業上に利用可能性が危うくなる。この課題は、減数分裂期組換えが抑制される植物の胞子を倍加半数体植物に再生させることによって、緩和することができる。
【０１１８】
したがって、本発明のもう一つの態様では、ＤＨ作出を使って、本方法の効率を向上させる。半数体胞子からの二倍体植物の作出は、完全にホモ接合である植物の作出を促進するために植物育種で広く用いられる組織培養技術である。通常、この技術は倍加半数体またはＤＨ技術と呼ばれる。半数体植物または一倍体植物では、一つのゲノムが一倍だけ存在する。これは全ての遺伝子が半接合状態で存在することを意味する。下等植物生物では、半数体が優勢な状態である場合もあり、コケ類の配偶子はこれにあたる。しかし作物植物では、目立たない寄生配偶体、花粉粒、花粉管、および胚嚢を除けば、半数体は優勢な状態ではない。
【０１１９】
半数体植物は、一価染色体であるため、通常は、不稔である。しかし、半数体染色体内容物の自発的倍加によって得られる、または染色体倍加剤などの他の手段によって達成される倍加半数体は、植物育種における最も有益な手段の一つである。倍加半数体植物は遺伝的にホモ接合であり、したがって理論的には何世代もの同系交配によらなければ達成することができない究極の純粋育種系統である。
【０１２０】
半数体植物は、未受精胚珠の半数体細胞（雌性発生）または葯の半数体細胞（雄性発生）から発生する。自然半数体の頻度はかなり低く、単為生殖の場合で１０００あたり約１、雄性発生の場合で１０００あたり約０．１である。自然に存在する半数体の効率は低いので、同系交配を部分的にまたは完全に置き換えるのに十分な数の倍加半数体を植物育種家が得ることができるように、長年にわたって、インビトロ組織培養法が開発されてきた。葯培養および小胞子培養は、次に挙げるような多くの作物種でホモ接合系統の作出に使用される確立した技術である。トウモロコシ（Ｚｅａ  ｍａｙｓ  Ｌ．；Ｇａｉｌｌａｒｄら．Ｐｌａｎｔ  Ｃｅｌｌ  Ｒｅｐｏｒｔｓ，１０：５５−５８（１９９１））、イネ（Ｏｒｙｚａ  ｓａｔｉｖａ  Ｌ．；Ｒａｉｎａら．Ｐｌａｎｔ  Ｃｅｌｌ  Ｒｅｐｏｒｔｓ，６：４３−４５（１９８７））、アブラナ（Ｂｒａｓｓｉｃａ  ｎａｐｕｓ；Ｋｅｌｌｅｒ  Ｗ．およびＡｒｍｓｔｒｏｎｇ  Ｋ．Ｚ．Ｐｆｌａｎｚｅｎｚｕｃｈｔｉｎｇ  ８０，１００−１０８（１９７８））、オオムギ（Ｈｏｒｄｅｕｍ  ｖｕｌｇａｒｅ  Ｌ．；Ｚｉａｕｄｄｉｎら，Ｐｌａｎｔ  Ｃｅｌｌ  Ｒｅｐｏｒｔｓ  ９：６９−７２（１９９０））、ナス（Ｓｏｌａｎｕｍ  ｍｅｌｏｎｇｅｎａ  Ｌ．；Ｔｕｂｅｒｏｓａ  Ｒ．ら，Ｇｅｎｅｔ．Ａｇｒ．４１：２６７−２７４（１９８７））、ブロッコリ（Ｂｒａｓｓｉｃａ  ｏｌｅｒａｃｅａ  ｖａｒ．Ｉｔａｌｉｃａ；Ｔａｋａｈａｔａ  Ｙ．およびＫｅｌｌｅｒ  Ｗ．Ｐｌａｎｔ  Ｓｃｉｅｎｃｅ，７４，２３５−２４２（１９９１））、ベニバナ（Ｃａｒｔｈａｍｕｓ  ｔｉｎｃｔｏｒｉｕｓ  Ｌ．；Ｐｌａｎｔ  Ｃｅｌｌ  Ｒｅｐｏｒｔｓ  １０：４８−５１（１９９１））、アスパラガス（Ａｓｐａｒａｇｕｓ  ｏｆｆｉｃｉｎａｌｉｓ；Ｐｅｌｌｅｔｉｅｒ  Ｇ．ら，Ｃ．Ｒ．Ａｃ．Ｓｃｉ．Ｐａｒｉｓ．Ｓｅｒ．Ｄ２７４，８４８−８５１（１９７２））。
【０１２１】
半数体および倍加半数体は、オオムギ（Ｈｏｒｄｅｕｍ  ｖｕｌｇａｒｅ  Ｌ．）の子房の配偶体細胞から得ることもできる（Ｓａｎ  Ｎｏｅｕｍ  Ｌ．，Ａｎｎ．Ａｍｅｌｉｏｒ．Ｐｌａｎｔｅｓ  ２６，７５１−７５４（１９７６））。子房細胞による倍加半数体の作出は、葯培養または小胞子培養に馴染まない場合が多い作物種に適している。ヒマワリ（Ｈｅｌｉａｎｔｈｕｓ  ａｎｎｕｕｓ  Ｌ．；Ｇｅｌｅｂａｒｔ  Ｐ．およびＳａｎ  Ｌ．Ａｇｒｏｎｏｍｉｅ，７，８１−８６（１９８７））、サトウダイコン（Ｂｅｔａ  ｖｕｌｇａｒｉｓ  Ｌ．；Ｈｏｓｅｍａｎｓ  ＤおよびＢｏｓｓｏｕｔｒｏｔ  Ｄ．Ｚ．Ｐｆｌａｎｚｅｎｚｕｃｈｔ  ９１：７４−７７（１９８３））、メロン（Ｃｕｃｕｍｉｓ  ｍｅｌｏ  Ｌ．；Ｃｕｎｙら，Ａｇｒｏｎｏｍｉｅ，１２，６２３−６３０（１９９２））、スイカ（Ｃｉｔｒｕｌｌｕｓ  ｌａｎａｔｕｓ（Ｔｈｕｎｂ．）；Ｓａｒｉ  Ｎら，Ｓｃｉｅｎｔｉａ  Ｈｏｒｔｉｃｕｌｔｕｒａｅ  ８２，２６５−２７７（１９９９））、キュウリ（Ｃｕｃｕｍｉｓ  ｓａｔｉｖｕｓ  Ｌ．；Ｄｉｒｋｓ  Ｒ．米国特許第５，４９２，８２７号（１９９５））などがその例である。
【０１２２】
正常な二倍体ドナー植物から得られる倍加半数体植物を通常は自家受粉させる。得られた後代は遺伝的に同一であり、ホモ接合である。すなわち対立遺伝子の遺伝的分離はもはや起こらないはずである。
【０１２３】
倍加半数体技術を本発明による乗換えの抑制と組み合わせることにより、植物育種の極めて強力な新しい可能性がもたらされる。乗換え（染色体組換え）が排除されている植物（任意のヘテロ接合性の程度をもつもの）に倍加半数体技術を適用することによって得られる植物はすべて完全にホモ接合である。これは、組換えが抑制された植物から得られるＤＨの集団が、同じ集団の別のＤＨ植物と交配させた場合に、そのＤＨ集団の作出に使用した植物体と遺伝的に同一なＦ１雑種の生成をもたらす、ホモ接合ＤＨ植物を与えることを意味する。
【０１２４】
例えばキュウリは半数体セットとして７つの染色体を持っている。ドナー植物がどの染色体上の遺伝子についてもヘテロ接合であると理論的に想定すると、１２８種類の倍加半数体遺伝子型が生じうることになり、ドナー植物が２つのホモ接合元親植物間の交配によって得られた場合は、それらのうちの２つはドナー植物を構成していた元親植物と同一である。
【０１２５】
これに対して、同じ植物（全ての染色体がヘテロ接合で乗換えは起こらない）の自家受粉では、２１８７種類の（二倍体）遺伝子型が生じうることになり、ドナー植物が２つのホモ接合元親植物間の交配によって得られた場合、元親遺伝子型のそれぞれの頻度は、二倍体後代植物では１６３８４分の１（＝（０．２５）７）しかない。
【０１２６】
十分な確率で探している遺伝子型を見いだすには、作出されるＤＨ植物または同系交配植物の数に、ある係数をかける必要がある。所望の遺伝子型が見つかる見込みが９５〜９８％であると仮定すると、合理的な係数は３〜４である。そのような乗数を使っても作出すべきＤＨの量はなお産業上適用可能な量であるが、伝統的な自家受粉では、作出すべき次代の数が極めて大量になり、通常、商業的な育種計画の範囲には収まらなくなる。
【０１２７】
元親である先祖を推定して新親系統を作出することによるＦ１雑種の再構築は、種子または内胚乳の品質にとってより良い性質を有する代替親をその商業的Ｆ１種子生産のために開発しようとする場合に役立ちうる。
【０１２８】
組換えのダウンレギュレーションとそれに続く倍加半数体の作出に使用される個々の遺伝子型の再構築には、遺伝子構成は関係なく、その植物が雑種であるか未知の遺伝子組成を有する植物であるかという事実とも無関係である。
【０１２９】
例えばキュウリの場合、交配したときに元の植物と同じ遺伝子型を有する後代をもたらす２つの倍加半数体（ＤＨ）系統の組み合わせは理論的に６４種類ある。したがって、わずか４８個のキュウリＤＨからなるセットでも、交配により元のドナー遺伝子型を再構築するＤＨ対を、ほぼ１００％の確実さで見いだすことができる。１０個の染色体を有するトウモロコシのような経済上重要な作物でさえ、わずか９８組の倍加半数体の組み合わせを試験するだけで（実施例２参照）、それらの祖先を再構築する親系統が９９％の確率で得られる。
【０１３０】
ある系統から別の系統への前記「細胞質導入」という特別な場合（実施例１２に詳述する）には、特定親系統の正確な回収が望まれる。組換え抑制と倍加半数体の作出およびそれに続く自家受粉との究極の組み合わせによって、系統選抜が可能になるだけでなく、染色体組み合わせの考えうるすべての組み合わせのなかで元親系統に似ている新しい系統が得られる。キュウリを例に挙げて説明するように（実施例２）、ドナー材料から得られた元親がホモ接合であるかヘテロ接合であるかにかかわらず、交配した場合に倍加半数体の導出に使用されたドナー材料を再構築する新親植物を作出することができる。
【０１３１】
そのような系統だけでなく、（半数体セットとして）ドナー材料を生成する、一方の出発系統に由来する６つの染色体と他方の出発系統に由来する１つの染色体とを有する他の系統も生成する。組換え抑制および倍加半数体に使用するドナー材料が、２つのホモ接合系統（例えば倍加半数体に由来するもの）を交配することによって作製されたＦ１雑種であり、本明細書に開示する前記の発明を適用するのであれば、２つの出発系統と同等な親系統を回収することができる。
【０１３２】
また、一方の元親に由来する一つ一つの染色体対について、他方の元親に由来する他の染色体対の他のセットとの組み合わせも作製される。このような組み合わせは、個々の染色体対ごとに得ることができるが、２つの対、３つの対などでも得ることができ、最終的に、完全な染色体セットが完成する。実際上、これは、元親の染色体対のうち１つだけまたは限られた数だけが他の元親に由来する染色体対で置換されている、元親系統に近い親系統が生成することを意味する。これにより、従来の設定で可能であったものよりもはるかに多くの元親系統の組み合わせを生成させることができる。組換えは起こらず、二倍体種ではＤＨ技術の次代は完全にホモ接合であるので、遺伝子連鎖を検出することができる。
【０１３３】
伝統的な遺伝学では、２つの異なる遺伝子座間の組換え頻度が、特定染色体上でのそれらの座の間の遺伝距離の尺度として使用される。２つの任意の遺伝子間の最大の組換え頻度は５０％であり、この値は、遺伝子が非相同染色体上にあって、独立して組み合わせられる場合に観察される値と同じである。５０％の組換えは、遺伝子が染色体上で少なくとも１回の乗換えがそれらの間でほとんど常に起こるほど遠く離れている場合に起こる。本発明によれば、突然変異、化学処理またはトランスジェニック手段（安定であるか一過性であるかを問わない）によって誘導される乗換えが起こらないので、特定染色体上にある遺伝子はすべて、それぞれの対立遺伝子型に固定される。特に倍加半数体と組み合わせると、染色体の外端に位置する遺伝子または遺伝子座は、共分離する。遺伝子が目に見えるマーカーをコードしている場合は、共分離を容易にモニターすることができるが、現在利用できるＤＮＡフィンガープリンティング技術を使ったＤＮＡマーカーと重要な遺伝子およびＤＮＡマーカーそのものの間の関連研究により、連鎖解析の分解能が向上する。そのようなＤＮＡフィンガープリンティング技術の例は、ＲＦＬＰ（Ｒｅｓｔｒｉｃｔｉｏｎ  Ｆｒａｇｍｅｎｔ  Ｌｅｇｎｔｈ  Ｐｏｌｙｍｏｒｐｈｉｓｍ（制限酵素断片長多型）Ｂｅｃｋｍａｎｎ，Ｊ．Ｓ．およびＳｏｌｌｅｒ，Ｍ．（１９８３）Ｔｈｅｏｒ．ａｎｄ  Ａｐｐｌ．Ｇｅｎｅｔ．６７，３５−４３）、ＲＡＰＤ（Ｒａｎｄｏｍ  Ａｍｐｌｉｆｉｅｄ  Ｐｏｌｙｍｏｒｐｈｉｃ  ＤＮＡ（ランダム増幅多型ＤＮＡ）Ｗｅｌｓｈ，Ｊ．およびＭｃＣｌｅｌｌａｎｄ，Ｍ．（１９９０）Ｎｕｃｌｅｉｃ  Ａｃｉｄｓ  Ｒｅｓ．１９，８６１−８６６）、ＳＳＲ（Ｓｉｍｐｌｅ  Ｓｅｑｕｅｎｃｅ  Ｒｅｐｅａｔ（単純配列反復）Ｗｕ，Ｋ−Ｓ．およびＴａｎｋｓｌｅｙ，Ｓ．Ｄ．（１９９３）Ｍｏｌ．Ｇｅｎ．Ｇｅｎｅｔ．２４１，２２５−２３５）およびＡＦＬＰ（Ａｍｐｌｉｆｉｅｄ  Ｆｒａｇｍｅｎｔ  Ｌｅｎｇｔｈ  Ｐｏｌｙｍｏｒｐｈｉｓｍ（増幅断片長多型）Ｖｏｓ，Ｐら（１９９５）Ｎｕｃｌｅｉｃ  Ａｃｉｄｓ  Ｒｅｓ．２３，４４０７−４４１４））である。
【０１３４】
逆育種技術が、今までになしえなかった時間枠で新しい品種を作製し、かつ既存の遺伝子プール内で起こる最大限の変異を利用する潜在能力を有することは明らかである。
【０１３５】
本発明は、そのさらなる一態様として、「乗換え」または組換えの抑制を使った、植物における細胞質雄性不稔の導入効率の改善に関する。細胞質雄性不稔またはＣＭＳは、植物育種に広く使用されている形質である。ＣＭＳは、ニンジン、キャベツ、カリフラワー、ブロッコリー、芽キャベツ、チコリおよびエンダイブなどの野菜種ならびにサトウダイコンおよびヒマワリなどの農業種で、Ｆ１雑種品種を作製するために使用される。商業的植物育種に使用されるＣＭＳは雌性親によって受け継がれるが、ＣＭＳの表現型の出現（花粉の欠如、茶色い葯、花弁状の葯）は、雄性不稔を回復しうる核因子または不稔に影響を及ぼさない核因子（いわゆるＣＭＳ維持系統）にも依存しうる。特定の稔性育種系統にＣＭＳ形質を付与するには、ＣＭＳを保持する１系統の核ゲノムの大半を、雄性不稔に変換する必要があるゲノムで置き換えるために、いくつかの戻し交配が必要であることが当業者には知られている。ＣＭＳドナー系統は、同質遺伝子雄性稔性系統との戻し交配によって維持される。
【０１３６】
ＣＭＳドナーを、劣性突然変異または組換えを抑制する導入遺伝子に関してホモ接合にする。ドナー系統は、ＣＭＳおよび稔性ドナーの染色体の相違をより容易に決定することができるように、多数の核遺伝子マーカーに関して、雄性不稔に変換する必要がある系統とは遺伝的に異なっていることが好ましい。所望の同系交配系統または純系（ホモ接合またはほぼホモ接合）を、類似しているがＣＭＳバックグラウンドを有する系統に変換するには、前記ＣＭＳホモ接合組換え抑制系統を、所望の系統の花粉で授粉することによって、第１交配を行う。得られたＦ１後代はＣＭＳと所望の系統の染色体の５０％を含んでいる。得られたＦ１植物の減数分裂では、本発明の結果として組換えが起こらない。これは、卵細胞では独立染色体組合せが起こることを意味する。半数体セットとして９個の染色体を有するキャベツ（Ｂｒａｓｓｉｃａ ｏｌｅｒａｃｅａ  Ｌ．）の場合、これは、５１２個中１個（（１／２）９）の卵細胞が、組換え抑制ＣＭＳ系統の授粉に用いた前記所望の系統と同じ（ただし半数性の）遺伝子組成を有することを意味する。この卵細胞を所望の系統の花粉で再び受精させると、得られる種子は、核遺伝子に関して元の所望の系統と遺伝的に同一であるが、ＣＭＳ細胞質を獲得している。したがって、所望の系統との第２の交配では、５１２個中１個の種子が、所望の系統と同質遺伝子型であるが、それはドナー系統のＣＭＳ細胞質を獲得している。新たに達成されたＣＭＳ／核組成では、減数分裂期組換えの抑制を担うトランスジェニック座の分離ゆえに、またトランスジェニック植物は維持されないので、トランスジェニック遺伝子／植物を維持する必要はない。
【０１３７】
新しいＣＭＳ／所望の核系統組合せの同定は、ＤＮＡフィンガープリンティング技術を使用すると、極めて容易である。好ましい一実施形態として、一つ一つの染色体を同定する能力を有する遺伝子マーカーを使用する。好ましい一実施形態として、一つのホモ接合組換え抑制ＣＭＳドナー系統を使って、数多くの前記所望の系統とのいくつか（独立した花）の交配を行うことができる。
【０１３８】
驚くべきことに、アブラナ属（Ｂｒａｓｓｉｃａ  ｓｐ．）、ニンジンおよびラディッシュなどのように、回復遺伝子が生殖質内に存在する植物種については、本発明により、ＣＭＳ系統を維持系統に変換することもできる。この目的で本発明を応用するには、核回復遺伝子と正常な非ＣＭＳ細胞質とを含む稔性植物を、減数分裂期組換えを抑制する構築物で形質転換する。そのような構築物を好ましくはホモ接合型で保有する形質転換体を花粉源として使用して、維持系統を作出する必要があるＣＭＳ系統の植物との交配を行う。得られた雑種植物は、回復遺伝子が存在するために雄性稔性であり、上記構築物をヘテロ接合型で含有することになる。上記構築物は遺伝的に優性なので、元のＣＭＳ系統に５０％由来し、回復遺伝子を含む稔性植物が５０％である雑種植物の染色体は、減数分裂時に組換えを起こさないだろう。次に、そのような雑種植物を花粉源として、回復遺伝子と正常な非ＣＭＳ細胞質とを有する元の植物との交配に使用する。元のＣＭＳ系統に由来する染色体の特異的な検出を可能にする分子マーカーを利用して、元のＣＭＳ系統に由来する完全な一揃いの染色体を含む後代植物を選択する。次に、これらの植物を使って、倍加半数体植物を作出し、同じ分子マーカーを使って元のＣＭＳ系統に由来する完全な一揃いの染色体を含むものを選択する。得られた植物は、元のＣＭＳ系統の維持系統として使用することができる。
【０１３９】
好ましくは、ＤＮＡフィンガープリント法を使って、本発明の効率を向上させる。本発明の好ましい一実施形態では、ＤＨ技術と、組換えの抑制とを併用することにより、倍加半数体植物を得るときに使用した植物の染色体のランダムな組合せからなる完全な一揃いの染色体を有する完全にホモ接合の二倍体植物を、効率よく取得する。
【０１４０】
この実施形態は最も効率の良い実施形態であるが、完全にホモ接合であって、減数分裂期組換えが抑制された植物の染色体のランダムな組合せからなる完全な一揃いの染色体を有する植物は、他の方法を使って同定することもできる。それらの代替法には、任意の起原を有するゲノム間に存在する多型のレベルを決定するためまたはランダムに複雑度を決定するために利用することができるＤＮＡフィンガープリンティング技術が含まれる。ホモ接合植物を選択するために、減数分裂期組換えが抑制されている植物の自家受精によって種子を生産する。これらの自家受粉種子を使って、第１同系交配世代（Ｓ１）を育てる。そのようなＳ１では、存在する遺伝子型の種類の総数は０．５（２２ｎ−２ｎ）＋２ｎ［式中、ｎは染色体の半数］である。この集団の中で、異なっているが完全にホモ接合である遺伝子型の数は２であり、その他の植物はすべて、さまざまな数の染色体に関してヘテロ接合である。ホモ接合植物を同定するには、これらの植物から抽出したＤＮＡを、ＤＮＡフィンガープリンティング技術によって解析する。Ｓ１の各植物について測定される多型の相対的レベルは、ヘテロ接合性のレベルを反映する。これにより、相対的に高レベルなホモ接合性を有する植物の割合を、Ｓ１集団において高めることができる。
【０１４１】
完全にホモ接合である植物を同定するために、与えられた作物種の遺伝地図上でその位置がわかっているマーカー対立遺伝子を、減数分裂期組換えが抑制される植物内での多型に関して調べることができる。原則として、組換えが完全に抑制される場合は、共優性的に測定することができる多型マーカー対立遺伝子が１染色体あたり１つあれば、Ｓ１中のホモ接合植物を同定するには十分である。染色体の半数が増加するとＳ１中のホモ接合植物の頻度が減少するので、この方法では、その作物種の染色体の半数が多くなるほど、より多くの資源を投入する必要がある。作物種がｎ個の半数体染色体を含む場合、Ｓ１中のホモ接合植物の頻度は２ｎである。これらのマーカーを各染色体について利用することができれば、Ｓ１の各植物について、これらのマーカー対立遺伝子がホモ接合的に存在するか、ヘテロ接合的に存在するかを決定することができる。
【０１４２】
減数分裂中は組換えが完全に抑制されるので、１つのマーカー対立遺伝子のホモ接合性は、同じ染色体上のすべての座について、それらのホモ接合性を示すことになる。この解析により、Ｓ１中のホモ接合植物を同定することができ、さらには、相補グループ内でホモ接合系統を分類することもできる。２つの植物を交配したときに、組換えを抑制した植物の遺伝子型が完全に回収される場合、それら２つの植物は相補的であるとみなされる。
【０１４３】
また、この解析により、予め決定しておいた任意の染色体セットがホモ接合的に存在し、他の染色体セットはヘテロ接合的に存在するようなＦ１雑種を作出することもできる。
【０１４４】
本発明によれば、Ｆ１雑種の内胚乳または種皮解析を使って母系遺伝子型を決定することができる。上述したように、１染色体につき最低１つの共優性マーカー対立遺伝子の存在を決定するためのアッセイを利用することができれば、減数分裂期組換えが抑制される植物で作出したＳ１集団の植物の各染色体の接合性を決定することができる。ホモ接合植物群のうち、減数分裂期組換えが抑制される当該植物の母植物と同じ遺伝子型を有する植物は、減数分裂期組換えが抑制される植物を種子から育てたときのその種子の種皮のＤＮＡを解析することによって、同定することができる。種皮中のＤＮＡは母系由来であるので、利用可能なマーカー対立遺伝子に関するアッセイを使って、種皮ＤＮＡを解析して、母系対立遺伝子の素性を明らかにすることができる。そのような解析によって得られたデータは、減数分裂期組換えが抑制される植物の母植物と同一の遺伝子型を有するＳ１中のホモ接合植物を同定するために利用することができる。父植物と同じ遺伝子型を有する植物は、母植物と完全に相補的な植物である。
【０１４５】
もう一つの方法として、母植物および父植物と同一な遺伝子型を有する植物は、減数分裂期組換えが抑制される植物を種子から育てたときのその種子の内胚乳を解析することによって、同定することもできる。内胚乳組織では母系ゲノムが父系ゲノムの２倍存在するので、内胚乳の全核ＤＮＡ抽出物中のマーカー対立遺伝子の存在を定量的に測定することによって、母系対立遺伝子および父系対立遺伝子の素性を明らかにすることができる。このような解析によって得られたデータは、減数分裂期組換えが抑制される植物の母植物または父植物と同一の遺伝子型を有するＳ１中のホモ接合植物を同定するために利用することができる。
【０１４６】
一部の種では、減数分裂中の異常によって、２ｎ親から２ｎ配偶子（非還元配偶子）が生じる。「第二分裂復旧」という特別な場合には、不完全な第二分裂によって、非減数配偶子が生じる。その結果は、両方の２ｎ細胞が減数細胞壁によって分離される二分子である。このようにして生産された配偶子は、乗換えと組換えがない場合にはホモ接合である。本発明では、組換えが起こるのを防止するために、この減数分裂の時期を操作する方法を示す。組換えが起こらない状態で上記第二分裂復旧によって生産された２ｎ配偶子から再生した植物は、倍加半数体植物の機能的等価物である。ＳＤＲについては、例えばＨｅｒｍｓｅｎ  Ｊ．「Ｔｈｅ  ｐｏｔｅｎｔｉａｌ  ｏｆ  ｍｅｉｏｔｉｃ  ｐｏｌｙｐｌｏｉｄｉｚａｔｉｏｎ  ｉｎ  ｂｒｅｅｄｉｎｇ  ａｌｌｏｇａｍｏｕｓ  ｃｒｏｐｓ」Ｉｏｗａ  Ｓｔａｔｅ  Ｊ．Ｒｅｓ．Ｖｏｌ．５８，Ｎｏ．４，ｐ．４２１−４３５（１９８４）や、Ｍｏｋ  ＤおよびＰｅｌｏｑｕｉｎ  Ｓ．Ｈｅｒｅｄｉｔｙ  ３５，２９５−３０２（１９７５）を参照されたい。
【０１４７】
本発明は、あらゆる非ヒト生物での使用に適し、特に植物、とりわけ農業植物（ジャガイモ、野菜）および園芸植物（野菜、果実、花）に適し、また鉢植え植物、花壇植物、低木、木および菌類（キノコ）にも適している。本発明の方法を適用することができる作物植物には、トウモロコシ、コムギ、イネ、サトウダイコン、アブラナ、ライグラス、ヒマワリ、ダイズ、トマト、キュウリ、ホウレンソウ、コショウ、ペチュニア、ジャガイモ、タバコ、ナス、メロン、ニンジン、ラディッシュ、レタス、アブラナ属（Ｂｒａｓｓｉｃａ）の野菜（キャベツ、カリフラワー、ブロッコリー、コールラビ、芽キャベツ）、リーキ、マメ、エンダイブ、チコリ、タマネギ、ジャガイモ、イチゴ、ラディッシュ、ウイキョウ、カエンサイ、セロリが含まれる。
【０１４８】
多くの商業植物種、例えば多くの観賞用植物および木本では、栄養繁殖またはクローン繁殖が、商業的繁殖の唯一のまたは主たる方法である。これらの種の育種計画では、優れた遺伝子型を分離集団中に、例えばＦ２中に同定した後、それらを維持し、栄養増殖技術によって増殖する。
【０１４９】
これらの種の多くでは（ヘテロ接合）植物の栄養繁殖の方法が支配的になっている。なぜなら（多くの一年生および二年生作物で行われるような）種子による雑種品種の作出には、数世代にわたる親系統の同系交配がまず必要であるが、これは、多くの木本種および樹種では、あまりにも長い時間を要するので、商業的計画には適さないからである。栄養繁殖を利用すれば、優れた遺伝子型が増殖されて遺伝的に同一な植物のストックとなり、種子繁殖雑種作物の場合のように親系統の作出に時間を「浪費」することがない。しかし栄養繁殖には明らかな欠点もある。第１に、栄養繁殖による植物生産のロジスティクスは、種子による場合よりもはるかに困難である。種子は容易に貯蔵することができ、長期間にわたって問題を生じないことも多い。商業的な量の苗木が必要な場合はいつでも種子を蒔くことができる。
【０１５０】
栄養繁殖される材料の場合は、変動する新しい苗木の商業的需要にこたえることが、はるかに困難である。栄養生産は労働および技術集約的であり、したがって相対的に費用がかさむ。疾病、特にウイルスは、栄養増殖につきまとう脅威である。多くのウイルスは種子では伝達されないが、栄養生殖技術によって得られるクローン子孫には容易に伝達される。そのため、一部の国では、栄養繁殖によって生産される植物の輸入を律する厳しい検疫規則が設けられている。
【０１５１】
栄養繁殖ではどの遺伝子型でも等しく機能するわけではない。この方法では繁殖が困難なものもある。例えば、挿し木の発根能は種およびクローン間で異なる。
【０１５２】
本発明の逆育種により、ヘテロ接合クローン繁殖植物の遺伝子型を再合成し、その遺伝子型を有する雑種種子を提供することができるようになった。
【０１５３】
本発明の文脈には以下の定義が適用される。
出発生物：本発明の方法において出発材料として使用されるヘテロ接合生物。出発生物は、必ずしも、２つの親間の交配の直接的な結果ではないが、そうである場合は、それらの親を「元親」と呼び、そのような元親の系統を「元親系統」と呼ぶ。
（新）親：本発明の方法によって得られるホモ接合生物であって、元の出発生物を再構築するために、相補的な（新）親との交配に使用することができる生物。各（新）親の系統を「（新）親系統」と呼ぶ。本発明を直接説明していない一節での「親」または「親系統」という用語の使用は、新親または新親系統を指しているとは限らないことに注意すべきである。
遺伝子型：個々の生物の遺伝子構成。
標的遺伝子：生物のゲノム内に存在する遺伝子であって、その発現を改変すると、減数分裂期組換えを受けていない染色体セットまたは前記遺伝子の発現が改変されていない場合と比較して減数分裂期組換えを起こしている頻度が低い染色体セットを含む胞子の形成を特徴とする減数分裂プロセスが、前記生物内で起こるような遺伝子。
機能的ホモログ：１つの生物内に存在するか、または異なる生物学的種に属する生物内に存在することができる、同じまたは類似する機能を有する遺伝子。
減数分裂期組換えの抑制：減数分裂中の２つの対合した染色体間での断片の交換の減少、好ましくは欠如をもたらす事象。
【０１５４】
以下の実施例では本発明をさらに詳しく説明するが、これらの実施例は単なる例示であって、決して本発明を限定しようとするものではない。
【実施例１】
【０１５５】
倍加半数体植物の再生と組換え抑制との併用の効果
逆育種が商業的に実施可能であるためには、減数分裂期組換えが抑制される形質転換体の子孫中に存在する完全にホモ接合の植物の同定の効率が重要である。この実施例では、減数分裂期組換えが抑制される植物の子孫集団におけるホモ接合植物の頻度の増加度に関して、さまざまな作物種で解析したＤＨ技術と組換え抑制との併用の効果を示す。
【０１５６】
組換えが抑制される場合、半数体染色体数がｎである完全にヘテロ接合の植物は、最大２ｎ個の遺伝的に異なる配偶子を生産することができる。そのような植物を自家受精させた場合、後代植物は、最大で０．５（２２ｎ−２ｎ）＋２ｎ種類の遺伝子型という遺伝的変異性を有する。この集団には、遺伝子型は異なるが完全にホモ接合の二倍体植物が２ｎ存在し、その他の二倍体植物はすべて、さまざまな数の染色体に関してヘテロ接合である。
【０１５７】
ＤＨ技術を減数分裂期組換えの抑制と組み合わせて応用すると、完全にホモ接合の後代植物だけが得られる。これらの植物は、例えば雄性発生によって小胞子から、または雌性発生によって大胞子から得られるので、遺伝的に異なる二倍体植物の最大数は、減数分裂期組換えが抑制される植物によって生産されうる遺伝的に異なる半数体配偶子の最大数、すなわち２ｎと一致する。
【０１５８】
この解析の結果を表１に示す。
【表１】
2005500069.tif 000002
【０１５９】
この解析は、すべてではないとしてもほとんどの作物で、ＤＨ技術の使用は、減数分裂期組換えが抑制される形質転換体の自家受精によって得られる子孫の場合と比較して、ホモ接合植物の回収効率に著しい効果を有することを示している。
【０１６０】
この解析から推測されるように、効率の改善は、与えられた植物種の半数体染色体数に依存し、その改善は１桁〜３桁（すなわち１０倍〜１０００倍）に及ぶ。減数分裂期組換えの抑制をＤＨ技術と併用すると、本発明の方法の商業的および実用的実現可能性が、かなり改善されると結論づけられる。
【実施例２】
【０１６１】
交配により出発植物の遺伝子型を再合成することができるＤＨ植物の相補的な組合せが、組換えが完全に抑制された出発植物から得られるｋ個のＤＨ植物中に見いだされる確率の、染色体数ｎの関数としての解析
本発明は、本発明によって得られる親系統をそのまま交配することによる、ヘテロ接合植物のＦ１雑種品種への変換を可能にするために、減数分裂期組換えの抑制と、ＤＨ技術のような効率改善のための技術とを併用することを教示するものである。
【０１６２】
この実施例では、与えられた植物種の半数体染色体数ｎと、減数分裂期組換えが完全に抑制されるヘテロ接合出発植物から作出されるＤＨ植物の数ｋとの関数として行った、２つの倍加半数体植物からなる少なくとも１組の相補的組合せ（交配により出発植物を「再合成」することができる組合せ）が見つかる確率の解析を示す。
【０１６３】
与えられた作物種の半数体染色体数をｎで表すと、減数分裂期組換えが完全に抑制されていて倍加半数体植物の作出に使用されるその作物種の植物から得られる遺伝子型の最大数は、２ｎである。この集団から無作為に選択した一対の倍加半数体植物を交配したときに、組換えを抑制しておいた遺伝子型（元の遺伝子型）と同一な遺伝子型を有するＦ１雑種が得られる確率は、１／２（なぜなら２ｎ／（２ｎ）２）である。
【０１６４】
全部でｋ個の倍加半数体植物が作出される場合、交配することができる２つの遺伝的に異なる倍加半数体植物の組合せの数は１／２  ｋ・（ｋ−１）である。無作為に選択した２つのＤＨが相補的である（交配により元の遺伝子型を再合成することができる）確率は、（１／２）ｎである。したがって、無作為に選択した２つのＤＨの組合せが相補的でない確率は、１−（１／２）ｎ＝（２ｎ−１）／２ｎである。倍加半数体がｋ個である場合は、１／２  ｋ・（ｋ−１）の組合せを作ることができるので、このＤＨ集団内に相補的なＤＨを見つけることができない確率は、（（２ｎ−１）／２ｎ）（１／２  ｋ・（ｋ−１）であり、したがって２つのＤＨからなる少なくとも１つの相補的な組合せを見つけることができる確率は、１−（（２ｎ−１）／２ｎ）（１／２  ｋ・（ｋ−１）である。
【０１６５】
この式を使って、元の遺伝子型が見つかる確率を最大にするために一対ずつ交配する必要がある倍加半数体植物の数を、各作物種について計算することができる。この解析の結果を表２に示す。
【０１６６】
【表２】
2005500069.tif 000003
【０１６７】
この解析は、キュウリの場合は４８個、カリフラワーの場合は１２８個、トマト、メロンおよびアマトウガラシの場合は２５６個の倍加半数体植物を使用すれば、本発明により、高い確率で、元の遺伝子型がＦ１雑種として再合成されることを示している。
【実施例３】
【０１６８】
シロイヌナズナ（Ａｒａｂｉｄｏｐｓｉｓ  ｔｈａｌｉａｎａ）、キャベツ類（Ｂｒａｓｓｉｃａ  ｏｌｅｒａｃｅａｅ）、アビシニアガラシ（Ｂｒａｓｓｉｃａ  ｃａｒｉｎａｔａ）、トマト（Ｌｙｃｏｐｅｒｓｉｃｏｎ  ｅｓｃｕｌｅｎｔｕｍ）、ナス（Ｓｏｌａｎｕｍ  ｍｅｌｏｎｇｅｎａ）およびタバコ（Ｎｉｃｏｔｉａｎａ  ｔａｂａｃｕｍ）由来の標的遺伝子ＤＭＣ１、ＳＰＯ１１およびＭＳＨ５の分子クローニングと特徴づけ
Ｇｅｎｅｌｕｔｅ  Ｐｌａｎｔ  Ｇｅｎｏｍｉｃ  ＤＮＡ  Ｋｉｔ（Ｓｉｇｍａ−Ａｌｄｒｉｃｈ，オランダ・ツバインドレヒト）を使って、植物組織から全ＤＮＡを抽出する。総量３０ｎｇのＤＮＡを使ってＰＣＲ反応を行った後、その反応産物を１％アガロースゲルで解析した。Ｑｉａｇｅｎ（米国カリフォルニア州バレンシア）から市販されているＲＮｅａｓｙ  Ｐｌａｎｔ  Ｍｉｎｉ  Ｋｉｔを使って、植物組織から全ＲＮＡを抽出する。次に、残存するＤＮＡを除去するために、精製したＲＮＡを１μｌの１０単位／μのＲＮａｓｅフリーＤＮａｓｅ（Ｒｏｃｈｅ  Ｄｉａｇｎｏｓｔｉｃｓ，ドイツ・マンハイム）で処理する。Ｉｎｖｉｔｒｏｇｅｎ（オランダ・ブレダ）のＳｕｐｅｒｓｃｒｉｐｔ（商標）Ｏｎｅ−Ｓｔｅｐ  ＲＴ−ＰＣＲとｐｌａｔｉｎｕｍ（登録商標）Ｔａｑを使ってＲＴ−ＰＣＲ反応を行った後、その反応産物を１％アガロースゲルで解析する。ＴＡクローニングと青−白コロニースクリーニングに基づくＩｎｖｉｔｒｏｇｅｎのＴＯＰＯ  ＴＡ  Ｃｌｏｎｉｎｇ（登録商標）システム（ｐＣＲ（登録商標）２．１−ＴＯＰＯ（登録商標））を使って、ＰＣＲ産物をクローニングする。
【０１６９】
１．ＤＭＣ１のクローニング
公表されているシロイヌナズナ（Ａｒａｂｉｄｏｐｓｉｓ ｔｈａｌｉａｎａ）のＤＭＣ１の遺伝子配列ＡｔＤＭＣ１（ＧｅｎＢａｎｋアクセッション番号Ｕ７６６７０）に基づいて、次のヌクレオチド配列からなるプライマー対を開発した：フォワードプライマー５’−ＡＣＡＧＡＧＧＣＴＴＴＴＧＧＧＧＡＡＴＴ−３’（配列番号９）および逆相補プライマー５’−ＡＣＡＧＡＧＧＣＴＴＴＴＧＧＧＧＡＡＴＴ−３’（配列番号１０）。ＰＣＲ解析により、シロイヌナズナ（Ａｒａｂｉｄｏｐｓｉｓ ｔｈａｌｉａｎａ）の花芽からＲＴ−ＰＣＲによって３８０ｂｐのｃＤＮＡ断片が、またシロイヌナズナ（Ａｒａｂｉｄｏｐｓｉｓ ｔｈａｌｉａｎａ）のゲノムＤＮＡから１１００ｂｐの断片が見つかった。これはＡｔＤＭＣ１遺伝子の既知ゲノム配列に基づいて予想される結果である。クローニングしたＰＣＲ産物の配列を解析したところ、得られたヌクレオチド配列が公表されている配列と一致したことから、クローニングした断片はＡｔＤＭＣ１遺伝子の一部であることが確認された。この結果は、ＡｔＤＭＣ１の一領域を特異的に増幅するために、開発したプライマー対を効果的に使用できることを示している。
【０１７０】
同じプライマー対を、キャベツ類（Ｂｒａｓｓｉｃａ ｏｌｅｒａｃｅａｅ）およびアビシニアガラシ（Ｂｒａｓｓｉｃａ ｃａｒｉｎａｔａ）の花芽から抽出したＲＮＡを用いるＲＴ−ＰＣＲ増幅反応に使用した。どちらの植物種でも３８０ｂｐのｃＤＮＡ断片が得られたので、それをクローニングし、配列決定した。キャベツ類（Ｂｒａｓｓｉｃａ ｏｌｅｒａｃｅａｅ）ＤＭＣ１遺伝子をＢｏＤＭＣ１と命名し、その３８０ｂｐ  ｃＤＮＡ断片のヌクレオチド配列を図１に示す。アビシニアガラシ（Ｂｒａｓｓｉｃａ ｃａｒｉｎａｔａ）ＤＭＣ１遺伝子をＢｃＤＭＣ１と命名し、その３８０ｂｐ  ｃＤＮＡ断片のヌクレオチド配列を図２に示す。
【０１７１】
得られた配列とＡｔＤＭＣ１遺伝子との配列アラインメントにより、ＢｏＤＭＣ１、ＢｃＤＭＣ１およびＡｔＤＭＣ１の極めて高い一致度が明らかになった。異なる配列間の一致率は次のとおりである。ＡｔＤＭＣ１とＢｏＤＭＣ１  ９５％、ＡｔＤＭＣ１とＢｃＤＭＣ１  ９３％、ＢｃＤＭＣ１とＢｏＤＭＣ１  ９６％。
【０１７２】
同じプライマー対を、トマト（Ｌｙｃｏｐｅｒｓｉｃｏｎ ｅｓｃｕｌｅｎｔｕｍ）、ナス（Ｓｏｌａｎｕｍ ｍｅｌｏｎｇｅｎａ）およびタバコ（Ｎｉｃｏｔｉａｎａ ｔａｂａｃｕｍ）の組織から抽出したゲノムＤＮＡを用いるＰＣＲ増幅反応に使用したところ、３つの植物種すべてで、１１００ｂｐの特異的増幅産物を得た。これらの断片は、シロイヌナズナ（Ａｒａｂｉｄｏｐｓｉｓ ｔｈａｌｉａｎａ）のゲノム断片の長さとよく一致する長さを有する。これらを、トマト（Ｌｙｃｏｐｅｒｓｉｃｏｎ ｅｓｃｕｌｅｎｔｕｍ）はＬｅＤＭＣ１、ナス（Ｓｏｌａｎｕｍ ｍｅｌｏｎｇｅｎａ）はＳｍＤＭＣ１、タバコ（Ｎｉｃｏｔｉａｎａ ｔａｂａｃｕｍ）はＮｔＤＭＣ１と命名した。これらの断片をクローニングし、配列決定した。その結果をＬｅＤＭＣ１については図３に、ＳｍＤＭＣ１については図４に、ＮｔＤＭＣ１については図５に示す。ＢＬＡＳＴ解析により、これらの断片はＡｔＤＭＣ１  ｃＤＮＡと高い一致レベルを有する領域を含むことが明らかになった。
【０１７３】
これらのデータは全体として、これらナス科に属する種のクローニング断片が、これらの種のゲノム中に存在するＡｔＤＭＣ１オルソログのアンプリコンであることを示している。
【０１７４】
２．ＳＰＯ１１のクローニング
ＳＰＯ１１のオルソログ遺伝子のＤＮＡ断片を単離するために、シロイヌナズナ（Ａｒａｂｉｄｏｐｓｉｓ ｔｈａｌｉａｎａ）ＳＰＯ１１−１（ＡｔＳＰＯ１１−１、アクセッションＡＦ−３０２９２８）ゲノムＤＮＡのうち、異なる種の既知のＳＰＯ１１オルソログ間で高度に保存されている一続きのアミノ酸をコードする位置に対応するプライマーからなるプライマー対を開発した。それらのプライマーは次のヌクレオチド配列を有する。フォワードプライマー５’−ＡＡＣＧＧＧＴＴＧＧＴＧＡＴＧＧＧ−３’（配列番号１１）および逆相補プライマー５’−ＣＣＡＴＡＴＧＧＡＴＣＡＣＡＧＴＣＡＡＣ−３’（配列番号１２）。ＰＣＲ解析により、シロイヌナズナ（Ａｒａｂｉｄｏｐｓｉｓ ｔｈａｌｉａｎａ）の花芽からＲＴ−ＰＣＲによって３５０ｂｐのｃＤＮＡ断片が見つかった。これはＡｔＳＰＯ１１−１遺伝子の既知のｃＤＮＡ配列に基づいて予想される結果である。クローニングしたＰＣＲ産物の配列を解析したところ、得られたヌクレオチド配列が公表されているＡｔＳＰＯ１１−１の配列と一致したことから、クローニングしたＤＮＡ断片はＡｔＳＰＯ１１−１遺伝子に由来することが確認された。この結果は、ＡｔＳＰＯ１１−１の一領域を特異的に増幅するために、開発したプライマー対を効果的に使用できることを示している。
【０１７５】
同じプライマー対を、キャベツ類（Ｂｒａｓｓｉｃａ ｏｌｅｒａｃｅａｅ）およびアビシニアガラシ（Ｂｒａｓｓｉｃａ ｃａｒｉｎａｔａ）の花芽から抽出したＲＮＡを用いるＲＴ−ＰＣＲ増幅反応に使用した。どちらの植物種でも３５０ｂｐのｃＤＮＡ断片が得られので、それをクローニングし、配列決定した。得られた配列とＡｔＳＰＯ１１−１遺伝子との配列アラインメントにより、両断片とＡｔＳＰＯ１１−１遺伝子との極めて高い一致度が明らかになった。キャベツ類（Ｂｒａｓｓｉｃａ ｏｌｅｒａｃｅａｅ）ＳＰＯ１１遺伝子をＢｏＳＰＯ１１と命名し、その３５０ｂｐ  ｃＤＮＡ断片のヌクレオチド配列を図６に示す。アビシニアガラシ（Ｂｒａｓｓｉｃａ ｃａｒｉｎａｔａ）ＳＰＯ１１遺伝子をＢｃＳＰＯ１１と命名し、その３５０ｂｐ  ｃＤＮＡ断片のヌクレオチド配列を図７に示す。
【０１７６】
ＰＣＲ断片間の一致率は次のとおりである。ＡｔＳＰＯ１１−１とＢｏＳＰＯ１１  ９４％、ＡｔＳＰＯ１１−１とＢｃＳＰＯ１１  ９３％、ＢｏＳＰＯ１１とＢｃＳＰＯ１１  ９９％。
【０１７７】
３．ＭＳＨ５のクローニング
シロイヌナズナ（Ａｒａｂｉｄｏｐｓｉｓ ｔｈａｌｉａｎａ）ＭＳＨ５遺伝子の一部を単離するために、アルゴリズムＣｏｄｅｈｏｐ（Ｒｏｓｅら（１９９８）Ｎｕｃｌｅｉｃ  Ａｃｉｄｓ  Ｒｅｓｅａｒｃｈ  ２６，１６２８−１６３５）を利用した。線虫（Ｃａｅｎｏｒｈａｂｄｉｔｉｓ ｅｌｅｇａｎｓ）、マウス（Ｍｕｓ ｍｕｓｃｕｌｕｓ）およびサッカロミセス・セレビシェ（Ｓａｃｃｈａｒｏｍｙｃｅｓ ｃｅｒｅｖｉｓｉａｅ）のＭＳＨ５オルソログのアラインメントによって生成した保存されたアミノ酸ブロックに基づいて、特異的クランプおよび縮重コア領域からなるプライマー対を作製した。次に示すプライマー対を使って、シロイヌナズナ（Ａｒａｂｉｄｏｐｓｉｓ ｔｈａｌｉａｎａ）の一領域を増幅した：フォワードプライマー５’−ＧＴＴＴＴＴＴＡＴＧＧＣＴＣＡＴＡＴＴＧＧＡＴＧＴＴＴＹＧＴＮＣＣＮＧＣ−３’（配列番号１３）および逆相補プライマー５’−ＴＣＣＡＣＡＧＴＡＴＴＡＧＴＴＣＣＣＴＴＴＣＣＡＷＡＹＴＣＲＴＣＤＡＴ−３’（配列番号１４）［ここに、ＹはＣまたはＴを意味し、ＮはＡ、Ｔ、ＧまたはＣを意味し、ＷはＡまたはＴを意味し、ＲはＡまたはＧを意味し、ＤはＡ、ＧまたはＴを意味する］。このプライマー対を使って、シロイヌナズナ（Ａｒａｂｉｄｏｐｓｉｓ ｔｈａｌｉａｎａ）ゲノムＤＮＡのＰＣＲ増幅を行ったところ、２２０ｂｐの断片が得られたので、これをクローニングし、配列決定した。その配列を図８に示す。
【０１７８】
ＢＬＡＳＴ−Ｘ解析により、クローニングした断片の翻訳産物は、既知のＭＳＨ５アミノ酸配列と、アミノ酸レベルで高い一致レベルを示すことがわかった。これを図９に示す。これは、ＡｔＭＳＨ５と名付けられたシロイヌナズナ（Ａｒａｂｉｄｏｐｓｉｓ ｔｈａｌｉａｎａ）のＭＳＨ５オルソログの一部を特異的に単離するために、上記の方法を効果的に使用できることを証明している。
【０１７９】
他の植物ＭＳＨ５配列を増幅するために、ＡｔＭＳＨ５のヌクレオチド配列に基づいて、特異的プライマー対を作製した。このプライマー対は、フォワードプライマー５’−ＴｇＴＣＣＣＧＧＣＴＧＣＡＴＣＧＧＣＣＡＡＡＡＴＣＧＧＣ−３’（配列番号１５）および逆相補プライマー５’−ＧＡＡＴＴＣＧＴＣＡＡＴＣＡＡＡＡＴＣＡＧＴＧＡＣＣＧ−３’（配列番号１６）という配列を持ち、シロイヌナズナ（Ａｒａｂｉｄｏｐｓｉｓ ｔｈａｌｉａｎａ）ゲノムＤＮＡでは１７０ｂｐの断片を生成する。
【０１８０】
次に、このプライマー対を、キャベツ類（Ｂｒａｓｓｉｃａ ｏｌｅｒａｃｅａｅ）、トマト（Ｌｙｃｏｐｅｒｓｉｃｏｎ ｅｓｃｕｌｅｎｔｕｍ）、ナス（Ｓｏｌａｎｕｍ ｍｅｌｏｎｇｅｎａ）およびタバコ（Ｎｉｃｏｔｉａｎａ ｔａｂａｃｕｍ）のゲノムＤＮＡをテンプレートとして用いるＰＣＲ反応に使用した。すべての植物種で、１７０ｂｐの増幅断片が得られた。
【０１８１】
これらの断片を配列決定し、その配列をＢＬＡＳＴ−Ｘで解析した。結果は、得られた断片が各作物種のＭＳＨ５遺伝子を表すことを示した。これらの遺伝子を次のように命名した：トマト（Ｌｙｃｏｐｅｒｓｉｃｏｎ ｅｓｃｕｌｅｎｔｕｍ）ＭＳＨ５：ＬｅＭＳＨ５（図１４）；ナス（Ｓｏｌａｎｕｍ ｍｅｌｏｎｇｅｎａ）ＭＳＨ５：ＳｍＭＳＨ５（図１５）；タバコ（Ｎｉｃｏｔｉａｎａ ｔａｂａｃｕｍ）ＭＳＨ５：ＮｔＭＳＨ５（図１６）およびキャベツ類（Ｂｒａｓｓｉｃａ ｏｌｅｒａｃｅａ）ＭＳＨ５：ＢｏＭＳＨ５（図１３）。
【実施例４】
【０１８２】
標的遺伝子ＤＭＣ１、ＳＰＯ１１およびＭＳＨ５をダウンレギュレートするためのＲＮＡ干渉（ＲＮＡｉ）ベクターの構築
特定植物種における標的遺伝子の活性をダウンレギュレートするために、ＲＮＡ干渉を利用する。この目的のために、アビシニアガラシ（Ｂｒａｓｓｉｃａ ｃａｒｉｎａｔａ）のＤＭＣ１およびＳＰＯ１１のＤＮＡ断片ならびにシロイヌナズナ（Ａｒａｂｉｄｏｐｓｉｓ ｔｈａｌｉａｎａ）のＭＳＨ５遺伝子を、ｐＫＡＮＮＩＢＡＬ（Ｗｅｓｌｅｙら（２００１）Ｔｈｅ  Ｐｌａｎｔ  Ｊｏｕｒｎａｌ  ２７，５８１−５９０）に、植物内で発現させたときに自分自身に折り返して相同ＲＮＡの特異的分解を誘発するヘアピン構造を形成するＲＮＡ分子が生じるような形で挿入する。ベクターｐＫＡＮＮＩＢＡＬはＣａＭＶ  ３５Ｓプロモーターの下流かつオクトピンシンターゼポリアデニル化シグナルの上流に位置するイントロンを含んでいる。イントロンの両側にはマルチクローニング部位があって、ＲＮＡ干渉標的に対応するＤＮＡの左アームと右アームを互いに逆向きに都合よく挿入することができる。転写が起こると、イントロンはスプラインシングによって除去され、左アームと右アームは互いに折り返して、二本鎖ＲＮＡを形成する。
【０１８３】
ＤＭＣ１、ＳＰＯ１１およびＭＳＨ５用の左アームを作製するために、遺伝子断片を、それらがクローニングされているベクターから、遺伝子断片の５’末端にハイブリダイズするＸｈｏＩ認識部位と遺伝子断片の３’末端にハイブリダイズするＫｐｎＩ認識部位とを有するプライマーを使って再増幅する。
【０１８４】
これらのプライマーを用いるＰＣＲによって生成する断片をＸｈｏＩおよびＫｐｎＩで消化した後、ＸｈｏＩおよびＫｐｎＩで消化したｐＫＡＮＮＩＢＡＬに挿入する。得られたプラスミドを、ＤＭＣ１を含むｐＲＺ０３９、ＳＰＯ１１を含むｐＲＺ０４０、およびＭＳＨ５を含むｐＲＺ０４１と命名する。
【０１８５】
次に、右アームを同様にして、ただし遺伝子断片の５’末端にＸｂａＩを生成し遺伝子断片の３’末端にＨｉｎｄＩＩＩ部位を生成する異なるプライマーセットを用いて、作製する。右アームを消化した後、対応する左アームを含むベクターに挿入して、ＤＭＣ１の場合はｐＲＺ０４２、ＳＰＯ１１の場合はｐＲＺ０４３、およびＭＳＨ５の場合はｐＲＺ０４４を得た。
【０１８６】
最終段階として、ＤＭＣ１、ＳＰＯ１１およびＭＳＨ５配列を逆方向反復配列として含んでいる完全なヘアピンカセットを、植物形質転換用の選択マーカーとしてネオマイシンホスホトランスフェラーゼＩＩ遺伝子を持っているｐＡＲＴ２７と呼ばれるバイナリーベクターのＴ−ＤＮＡのＮｏｔＩ部位に、ＮｏｔＩ断片として別々に挿入する。Ｔ−ＤＮＡの完全性は配列解析によって確認した。得られたバイナリーベクター（ＤＭＣ１の場合はｐＲＺ０５１（図１０）、ＳＰＯ１１の場合はｐＲＺ０５２（図１１）、およびＭＳＨ５の場合はｐＲＺ０５４（図１２）と命名）をアグロバクテリウム・ツメファシエンス（Ａｇｒｏｂａｃｔｅｒｉｕｍ ｔｕｍｅｆａｃｉｅｎｓ）に、ヘルパープラスミドｐＲＫ２０１３を使った三親性交配法でトランスフェクトした（Ｄｉｔｔａら（１９８０）Ｐｒｏｃ．Ｎａｔｌ．Ａｃａｄ．Ｓｃｉ．ＵＳＡ  ７７，７３４７−７３５１）。
【０１８７】
ＢｃＤＭＣ１、ＢｃＳＰＯ１１およびＡｔＭＳＨ５配列と各オルソログ遺伝子とは配列一致レベルが高いので、これらの構築物は、アブラナ科のどの種でも、標的遺伝子のダウンレギュレーションに有効である。さらに、ＬｅＤＭＣ１、ＳｍＤＭＣ１およびＮｔＤＭＣ１配列は、ＢｃＤＭＣ１  ｃＤＮＡに対して高い類似性を有する領域を示すので、ｐＲＺ０５１はナス科の種でも有効である。また、イネのＤＭＣ１遺伝子に対するＢｃＤＭＣ１の類似性を考えると、ＢｃＤＭＣ１配列はさらに広く、すなわち例えばイネ、コムギ、オオムギおよびトウモロコシなどの単子葉植物種でも、使用することができる。
一般に、上述の方法は、ダウンレギュレートする必要がある他の標的遺伝子に相同なＤＮＡ断片を含む構築物の作製に使用することができる。
【実施例５】
【０１８８】
ｐＲＺ０５１、ｐＲＺ０５２およびｐＲＺ０５４によるシロイヌナズナ（Ａｒａｂｉｄｏｐｓｉｓ  ｔｈａｌｉａｎａ）の形質転換
植物形質転換ベクターｐＲＺ０５１、ｐＲＺ０５２またはｐＲＺ０５４のいずれか一つを含むアグロバクテリウム・ツメファシエンス（Ａｇｒｏｂａｃｔｅｒｉｕｍ ｔｕｍｅｆａｃｉｅｎｓ）Ｃ５８株（ＡＴＴＣ３３９７０）を、ベクターを選択するためのストレプトマイシン（１００ｍｇ／Ｌ）とスペクチノマイシン（３００ｍｇ／Ｌ）およびアグロバクテリウム・ツメファシエンス（Ａｇｒｏｂａｃｔｅｒｉｕｍ ｔｕｍｅｆａｃｉｅｎｓ）Ｃ５８バックグラウンドを選択するためのリファンピシン（４０ｍｇ／Ｌ）とゲンタマイシン（２５ｍｇ／Ｌ）を含むＬＢ培地中、２９℃で一晩生育させる。
【０１８９】
トランスジェニック・アラビドプシス（Ａｒａｂｉｄｏｐｓｉｓ）植物を作出するために、Ｄｅｓｆｅｕｘら（２０００）Ｐｌａｎｔ  Ｐｈｙｓｉｏｌｏｇｙ  １２３，８９５−９０４に記載のフローラルディップ法を使用する。細菌細胞をフローラルディップ溶液（ＭｉｌｌｉＱ（商標）（Ｍｉｌｌｉｐｏｒｅ，オランダ・エッテンルール）１リットルにつき５０ｇショ糖＋５００μｌ  Ｓｉｌｗｅｔｔ  Ｌ−７７界面活性剤（Ｈｅｌｅｎａ  Ｃｈｅｍｉｃａｌ  Ｃｏｍｐ．，米国カリフォルニア州フレズノ））に再懸濁する。複数の花芽を含む抽だいした植物を、光学密度（ＯＤ）１．０〜１．５のアグロバクテリウム（Ａｇｒｏｂａｃｔｅｒｉｕｍ）細胞を含む浸漬液に、静かに撹拌しながら５〜１０秒間沈める。
【０１９０】
接種後に、それらの植物をプラスチック容器に入れて低照度条件下で高湿度を１日間維持し、次いで、その種子を成長させる。
【０１９１】
５０ｍｇ／Ｌカナマイシンを含む５０％濃度のＭＳプレートに重層した０．１％アガロース中で、表面殺菌した種子を発芽させることによって、形質転換体を選択する。カナマイシン耐性実生を温室の土壌に移す。合計５１個のカナマイシン耐性実生／構築物を成熟した植物まで栽培し、それをＰＣＲにより、Ｔ−ＤＮＡの存在について分析した。ＮＰＴＩＩ遺伝子（ＮＥＯ−ＦＯＲＷ＋ＮＥＯ−ＲＥＶ）、ＣａＭＶ  ３５Ｓプロモーターからイントロンまでの領域（３５Ｓ−Ｆ１＋ＲＮＡｉ−ｉｎｔｒ−Ｒ１）、およびイントロンからＯＣＳターミネーターまでの領域（ＲＮＡｉ−ｉｎｔｒ−Ｆ１＋ＯＣＳ−Ｒ１）のいずれかを特異的に増幅するプライマー対を設計した。これらのプライマー対の配列を以下に示す。この分析の結果、どの植物でも上記のプライマー対に特異的な増幅シグナルが得られたことから、カナマイシン耐性実生のトランスジェニック状態が確認され、ＲＮＡ干渉構築物が存在することがわかる。この実験から不稔植物が確認された。
【０１９２】
ＮＰＴＩＩ：
ＮＥＯ−ＦＯＲＷ  ５’−ＣＡＧ  ＡＣＡ  ＡＴＣ  ＧＧＣ  ＴＧＣ  ＴＣＴ  ＧＡＴ  ＧＣＣ−３’（配列番号２１）
ＮＥＯ−ＲＥＶ  ５’−ＣＧＴ  ＣＡＡ  ＧＡＡ  ＧＧＣ  ＧＡＴ  ＡＧＡ  ＡＧＧ  ＣＧ−３’（配列番号２２）
プロモーター−イントロン：
３５Ｓ−Ｆ１  ５’−ＡｇＡＡＴｇＣＴｇＡＣＣＣＡＣＡｇＡＴｇｇＴＴＡ−３’（配列番号２３）
ＲＮＡｉ−ｉｎｔｒ−Ｒ１  ５’−ＣＴＴＣｇＴＣＴＴＡＣＡＣＡＴＣＡＣＴｇＴＣＡＴ−３’（配列番号２４）
イントロン−ターミネーター：
ＲＮＡｉ−ｉｎｔｒ−Ｆ１  ５’−ＡＴｇＡＣＡｇＴｇＡＴｇＴｇＴＡＡｇＡＣｇＡＡｇ−３’（配列番号２５）
ＯＣＳ−Ｒ１  ５’−ＴｇｇＣｇＣＴＣＴＡＴＣＡＴＡｇＡＴｇＴＣｇＣＴ−３’（配列番号２６）
【実施例６】
【０１９３】
作物植物の形質転換とホモ接合系統の作出
１．構築物
実施例４に記載した構築物を、アグロバクテリウム（Ａｇｒｏｂａｃｔｅｒｉｕｍ）によるさまざまな作物植物の形質転換に使用した。アラビドプシス（Ａｒａｂｉｄｏｐｓｉｓ）構築物はアブラナ属（Ｂｒａｓｓｉｃａ）に使用することができる。要すれば、記述のように、実施例４の構築物の遺伝子を、関連作物の相同内在性遺伝子と交換することができる。さらに、機能的相同体を使用することもできる。
【０１９４】
２．形質転換およびＤＨ作出
２．１．トウモロコシ
トウモロコシゲノムへのサイレンシング構築物の組込みは、ＤＳＭ６００９トウモロコシプロトプラストのアグロバクテリウム（Ａｇｒｏｂａｃｔｅｒｉｕｍ）形質転換が教示されているＥＰ−８０１１３４、ＵＳ−５，４８９，５２０またはＥＰ  ９７１１４６５４．３に従って行う。トウモロコシ細胞中に導入されたサイレンシング構築物は、再生形質転換植物が減数分裂を起こす時に、組換えに対して、組換えが起こらないか有意に減少するように、阻害効果を与える。この阻害核酸の活性の結果として、多くの卵細胞および花粉は、正常な数から逸脱していて、受精するにも（卵細胞）または機能的花粉源としても（花粉）、部分的にまたは完全に不十分な染色体数を有することがわかった。この場合、形質転換体は雄性不稔または雌性不稔であるか、種子生産が低下する。
【０１９５】
しかし、一部の小胞子および花粉は、減数分裂によって生じる正常で機能的な染色体セットの染色体を持ち、そこでは（野生型と比較して）組換えが全くまたはほとんど起こっていない。これらの半数体小胞子および卵細胞は、倍加半数体を作製するための出発材料である。
【０１９６】
トウモロコシの半数体は、Ｐｅｓｃｉｔｅｌｌｉ  ＳおよびＰｅｔｏｌｉｎｏ  Ｊ（１９８８）Ｐｌａｎｔ  Ｃｅｌｌ  Ｒｅｐｏｒｔｓ  ７：４４１−４４４、Ｃｏｕｍａｎｓ  Ｍら（１９８９）Ｐｌａｎｔ  Ｃｅｌｌ  Ｒｅｐｏｒｔｓ  ７：６１８−６２１、Ｐｅｓｃｉｔｅｌｌｉ  Ｓら（１９８９）Ｐｌａｎｔ  Ｃｅｌｌ  Ｒｅｐｏｒｔｓ  ７：６７３−６７６、Ｂｕｔｅｒ  Ｂ（１９９７）「Ｉｎ  Ｖｉｔｒｏ  Ｈａｐｌｏｉｄ  Ｐｒｏｄｕｃｔｉｏｎ  ｉｎ  Ｈｉｇｈｅｒ  ｐｌａｎｔｓ」第４巻（Ｋｌｕｗｅｒ  Ａｃａｄｅｍｉｃ  Ｐｕｂｌｉｓｈｅｒｓ，編者：Ｓ  Ｊａｉｎ、Ｓ  ＳｏｐｏｒｙおよびＲ  Ｖｅｉｌｌｅｕｘ）の３７〜７１頁に記載されているように、小胞子から得る。
【０１９７】
次に、半数体植物から自発的二倍体化によって、または化学的に、二倍体植物を作出する。好ましくは、１コピーの導入遺伝子を持っている植物を選択する。減数分裂中に起こる組換えの減少または排除により、これらの植物の一部はすべての対立遺伝子についてホモ接合である。平均すると、これらの倍加半数体のうち５０％は、組換えダウンレギュレーションを起こす導入遺伝子を持ち、５０％はトランスジェニック核酸を持たない。
【０１９８】
もう一つの選択肢として、Ｒｏｔａｒｅｎｃｏ  Ｖ（２００２）Ｍａｉｚｅ  Ｇｅｎｅｔｉｃｓ  Ｃｏｏｐｅｒａｔｉｏｎ  Ｎｅｗｓ  Ｌｅｔｔｅｒ  ７６：１６に記載されているように、自然受粉および人為受粉後に、半数体誘導因子を使って、半数体トウモロコシ植物を作出した。この場合は、半数体胚を含む種子が得られた。またこの場合は、ヘミ接合ドナー材料からの分離により導入遺伝子を失っている半数体だけを維持する。
【０１９９】
染色体倍加は、Ｗａｎ，ＹおよびＷｉｄｈｏｌｍ，Ｊ（１９９５）Ｚ．Ｐｆｌａｎｚｅｎｚｕｅｃｈｔ  １１４：２５３−２５５に記載されているように行う。
【０２００】
形質転換事象の反復を避けるために、１コピーの導入遺伝子を含む植物（サザンブロットまたはいわゆるインベーダー（Ｉｎｖａｄｅｒ）技術を使って確認）を交配用にとっておく。
【０２０１】
２．２．イネ
イネの遺伝的形質転換は、Ｚｈａｎｇ  ＢｉｎｇおよびＷｅｉ  Ｚｈｉｍｉｎｇ（１９９９）Ａｃｔａ  Ｐｈｙｔｏｐｈｙｓｉｏｌｏｇｉｃａ  Ｓｉｎｉｃａ  ｖｏｌ  ２５，ｎｏ  ４、またはＤａｔｔａおよびＤａｔｔａ（１９９９）「Ｍｅｔｈｏｄｓ  ｉｎ  ｍｏｌｅｃｕｌａｒ  ｂｉｏｌｏｇｙ」第１１１巻（Ｒｏｂｅｒｔ  Ｄ．Ｈａｌｌ編，Ｈｕｍａｎａ  ｐｒｅｓｓ  Ｔｏｔｏｗａ，ニュージャージー）の３３５〜３４７頁に従って行う。
【０２０２】
減数分裂中の組換えを阻害する上記阻害ＤＮＡをイネゲノムに組み込んだ後、好ましくは、１コピーの阻害ＤＮＡを含む再生植物をさらに使用し、Ｇｏｓａｌ  Ｓら（１９９７）「Ｉｎ  Ｖｉｔｒｏ  Ｈａｐｌｏｉｄ  Ｐｒｏｄｕｃｔｉｏｎ  ｉｎ  Ｈｉｇｈｅｒ  ｐｌａｎｔｓ」第４巻（Ｋｌｕｗｅｒ  Ａｃａｄｅｍｉｃ  Ｐｕｂｌｉｓｈｅｒｓ．編者：Ｓ  Ｊａｉｎ、Ｓ  ＳｏｐｏｒｙおよびＲ  Ｖｅｉｌｌｅｕｘ）の１〜３５頁に従って、葯培養、小胞子培養および子房培養により、倍加半数体を作製する。
【０２０３】
２．３．タマネギ
本発明の方法は染色体数が比較的少ない作物にはとりわけ有効である。したがってタマネギ（２ｎ＝２ｘ＝１６）は、本発明の実際的応用にとって優れた種である。タマネギでの形質転換は、Ｅａｄｙ（１９９５）Ｎｅｗ  Ｚｅａｌａｎｄ  Ｊｏｕｎａｌ  ｏｆ  Ｃｒｏｐ  ａｎｄ  Ｈｏｒｔｉｃｕｌｔｕｒａｌ  Ｓｃｉｅｎｃｅ，ｖｏｌ  ２３：２３９−２５０によって開発されたプロトコールに従って行う。
【０２０４】
ここでも、減数分裂中の組換えを阻害するサイレンシングＤＮＡを１コピー持っている植物を維持して、Ｋｅｌｌｅｒ  ＥおよびＫｏｒｚｕｎ  Ｌ．（１９９６）「Ｉｎ  Ｖｉｔｒｏ  Ｈａｐｌｏｉｄ  Ｐｒｏｄｕｃｔｉｏｎ  ｉｎ  Ｈｉｇｈｅｒ  ｐｌａｎｔｓ」第３巻（Ｋｌｕｗｅｒ  Ａｃａｄｅｍｉｃ  Ｐｕｂｌｉｓｈｅｒｓ，編者：Ｓ  Ｊａｉｎ，Ｓ  ＳｏｐｏｒｙおよびＲ  Ｖｅｉｌｌｅｕｘ）の５１〜７５頁に従って倍加半数体を作製するための出発材料として使用する。
【０２０５】
次に、半数体植物から自発的二倍体化によって、または化学的に、二倍体植物を作出する。
【０２０６】
２．４．キュウリ
半数体染色体数が７であるキュウリも、本発明が極めて有効な作物種である。サイレンシング構築物は、ＥＰ−９７１１４６５４．３に開示されているように胚形性カルスにアグロバクテリウム（Ａｇｒｏｂａｃｔｅｒｉｕｍ）形質転換法によって導入するか、Ｇａｎａｐａｔｈｉ  ＡおよびＰｅｒｌ−Ｔｒｅｖｅｓ  Ｒ．，ＩＳＨＳ  Ａｃｔａ  Ｈｏｒｔｉｃｕｌｔｕｒａｅ  ５１０：ＶＩＩ  Ｅｕｃａｒｐｉａ  Ｍｅｅｔｉｎｇ  ｏｎ  Ｃｕｃｕｒｂｉｔ  Ｇｅｎｅｔｉｃｓ  ａｎｄ  Ｂｒｅｅｄｉｎｇ、Ｍｏｈｉｕｄｄｉｎｉ  Ａら（２０００）Ｐｌａｎｔ  Ｔｉｓｓｕｅ  Ｃｕｌｔ  １０（２）：１６７−１７３に従って、直接器官形成により、アグロバクテリウム（Ａｇｒｏｂａｃｔｅｒｉｕｍ）形質転換法で導入する。
【０２０７】
減数分裂中の組換えを阻害する形質転換ＤＮＡを１コピーだけ持っている形質転換体を同定した後、ＥＰ  ０  ３７４  ７５５に記載されているように、雌性発生によって半数体を作出する。
【０２０８】
次に、半数体植物から自発的二倍体化によって、または化学的に、二倍体植物を作製する。
【０２０９】
２．５．サトウダイコン
サトウダイコンでの形質転換はＨａｌｌ  Ｒら（１９９６）Ｎａｔｕｒｅ  Ｂｉｏｔｅｃｈｎｏｌｏｇｙ  １４，１１３３−１１３８に記載されているように行う。
【０２１０】
次に、Ｐｅｄｅｒｓｅｎ  ＨおよびＫｅｉｍｅｒ  Ｂ（１９９６）「Ｉｎ  Ｖｉｔｒｏ  Ｈａｐｌｏｉｄ  Ｐｒｏｄｕｃｔｉｏｎ  ｉｎ  Ｈｉｇｈｅｒ  ｐｌａｎｔｓ」第３巻（Ｋｌｕｗｅｒ  Ａｃａｄｅｍｉｃ  Ｐｕｂｌｉｓｈｅｒｓ，編者：Ｓ  Ｊａｉｎ，Ｓ  ＳｏｐｏｒｙおよびＲ  Ｖｅｉｌｌｅｕｘ）の１７〜３６頁に記載されているように、倍加半数体を得る。
【０２１１】
２．６．アブラナ属（Ｂｒａｓｓｉｃａ）の種
さまざまなアブラナ属（Ｂｒａｓｓｉｃａ）の種の形質転換は、セイヨウアブラナ（Ｂｒａｓｓｉｃａ ｎａｐｕｓ）の場合はＭｏｌｏｎｅｙ  Ｍら（１９８９）Ｐｌａｎｔ  Ｃｅｌｌ  Ｒｅｐｏｒｔｓ  ８，２３８−２４２に従って、ブロッコリ（Ｂｒａｓｓｉｃａ ｏｌｅｒａｃｅａ  ｖａｒ．ｉｔａｌｉｃａ）およびキャベツ（Ｂ．ｏｌｅｒａｃｅａ  ｖａｒ．Ｃａｐｉｔａｔａ）の場合はＭｅｔｚ  Ｔら（１９９５）Ｐｌａｎｔ  Ｃｅｌｌ  Ｒｅｐｏｒｔｓ  １５，２８７−２９２に従って、またカリフラワー（Ｂｒａｓｓｉｃａ ｏｌｅｒａｃｅａ  ｖａｒ．Ｂｏｔｒｙｔｉｓ）の場合はＢｈａｌｌａ  ＰおよびＳｍｉｔｈ  Ｎ（１９９８）Ｍｏｌｅｃｕｌａｒ  Ｂｒｅｅｄｉｎｇ  ４，５３１−５４１）に従って行う。
【０２１２】
倍加半数体は、Ｐａｌｍｅｒ  Ｃら．（１９９６）「Ｉｎ  Ｖｉｔｒｏ  Ｈａｐｌｏｉｄ  Ｐｒｏｄｕｃｔｉｏｎ  ｉｎ  Ｈｉｇｈｅｒ  ｐｌａｎｔｓ」第２巻（Ｋｌｕｗｅｒ  Ａｃａｄｅｍｉｃ  Ｐｕｂｌｉｓｈｅｒｓ，編者：Ｓ  Ｊａｉｎ，Ｓ  ＳｏｐｏｒｙおよびＲ  Ｖｅｉｌｌｅｕｘ）の１４３〜１７２頁に従って行った。
【０２１３】
２．７．ナス
ナス（Ｓｏｌａｎｕｍ ｍｅｌｏｎｇｅｎａ）の形質転換は、Ｌｅｏｎｅら（１９９３）「Ｂｉｏｔｅｃｈｎｏｌｏｇｙ  ｉｎ  Ａｇｒｉｃｕｌｔｕｒｅ  ａｎｄ  Ｆｏｒｅｓｔｒｙ，ｖｏｌ．２２，Ｐｌａｎｔ  Ｐｒｏｔｏｐｌａｓｔｓ  ａｎｄ  Ｇｅｎｅｔｉｃ  Ｅｎｇｉｎｅｅｒｉｎｇ  ＩＩＩ」（Ｙ．Ｐ．Ｓ．Ｂａｊａｊ編，Ｓｐｒｉｎｇｅｒ−Ｖｅｒｌａｇ（ハイデルベルグ））の３２０〜３２８頁に従って行う。倍加半数体はＤｕｍａｓ  ｄｅ  Ｖａｕｌｘ，Ｒ．およびＣｈａｍｂｏｎｎｅｔ（１９８２）Ａｇｒｏｎｏｍｉｅ  ２：９８３−９８８に従って作製する。次に、半数体植物から自発的二倍体化によって、または化学的に、二倍体植物を作出する。
【実施例７】
【０２１４】
ＣＭＳ（細胞質雄性不稔）を導入するための逆育種
ＣＭＳはＦ１雑種品種の作出において最も有名な植物育種手段の一つである。農業者は、彼らが購入する種子から得られる植物が均質な表現型（したがって好ましくは遺伝子型）を有することを要求する。これを達成するには、種子生産植物の自家受粉を排除する必要がある。これを行うには、手作業による雌性系統の除雄が必要であるが、これは費用がかさみ失敗も起こしやすい作業である。
【０２１５】
一部の作物では、自然の雄性不稔がより良くより効率的な代替手段になる。そのような作物には、例えばイネ、サトウダイコン、ニンジン、アブラナ属（Ｂｒａｓｓｉｃａ）の種があるが、これらに限るわけではない。１９７０年まで、雑種トウモロコシのほぼすべてが、Ｆ１作出にＴ細胞質を使って生産されていた。
【０２１６】
自家受精によって繁殖された、伝統的な植物育種の結果である、または倍加半数体法を使って得られる、選択した純系は、その系統を細胞質不稔のキャリアである系統と交配することによって、雄性不稔に変換される。
【０２１７】
好ましくは、当業者にはよく知られているように、遺伝子マーカーを使って、例えばＡＦＬＰ、ＲＦＬＰ、ＲＡＰＤ、Ｉｎｖａｄｅｒなど（ただしこれらに限らない）によって、花粉源およびＣＭＳドナーを遺伝学的に特徴づける。
【０２１８】
この実施例では、他の実施例に例示するように、雄性不稔系統を組換えに関して抑制する。この抑制がトランスジェニックに達成されたら、導入遺伝子についてホモ接合である系統を選択する。花粉源とＣＭＳアクセプターとの交配によって得られるＦ１後代は、両親から染色体の５０％を受け継ぐ。この世代の植物によって生産される卵細胞は、組換えが起こらない状態で生成する。これは、半数体染色体数が９であるならば（カリフラワー、ニンジンおよびサトウダイコンはこれに当てはまる）、完全な染色体セットを含む卵細胞は、５１２個につき１個の割合で、卵細胞または花粉源からの花粉と全く同じ染色体構成を受け継ぐことを意味している。これは、受粉が成功すれば、第２の戻し交配により、元の花粉源の染色体内容物がＣＭＳ系統の細胞質環境中に移されている種子が生じることを意味している。
【０２１９】
この同質遺伝子系統の同定は分子マーカーを使って行う。
【実施例８】
【０２２０】
本発明を利用したホモ接合ＣＭＳ系統（Ａ系統）からの維持系統（Ｂ系統）の作出
ニンジン（Ｄａｕｃｕｓ ｃａｒｏｔａ）、キャベツ類（Ｂｒａｓｓｉｃａ ｏｌｅｒａｃｅａ）またはダイコン（Ｒａｐｈａｎｕｓ ｓａｔｉｖｕｓ）の維持系統またはＢ系統を、ホモ接合細胞質雄性不稔系統またはＡ系統から出発して、本発明を使って作出した。多くの作物では、細胞質雄性不稔（ＣＭＳ）母系統が雑種種子の生産に使用されている。ＣＭＳ母系統（Ａ系統）は、同じまたは高度に類似する核構成を有するが細胞質は正常であるために雄性稔性である系統との戻し交配によって維持される（Ｂ系統）。多くの場合、新しいＡ系統は、優良雄性稔性遺伝子型をＣＭＳ植物と交配し、その子孫中に、ＣＭＳを維持している組合せ（Ｂ系統、すなわち「維持系統能」を有する系統、すなわち回復遺伝子を欠く系統）を選択し、そのＣＭＳ後代を元のＢ系統と、得られたＡ系統が遺伝的にＢ系統に極めて類似するまで戻し交配することによって作出される。驚くべきことに、回復遺伝子が存在する種（アブラナ属、ニンジン、ラディッシュ）では、逆育種によって、対応するＢ系統を、任意のホモ接合ＣＭＳ植物から、下記の育種スキームによって得ることができる。この育種スキームで使用する記号は次のとおりである。
Ｒｆ＝回復遺伝子あり
ｒｆｒｆ＝維持能あり／回復遺伝子なし
ＲｂＲｂまたはＲｂｒｂ＝標的遺伝子の活性の抑制因子あり
ｒｂｒｂ＝標的遺伝子の活性の抑制因子なし
Ｎ＝正常稔性細胞質
Ｓ＝細胞質雄性不稔細胞質。
【０２２１】
【化１Ａ】
2005500069.tif 000004
【化１Ｂ】
2005500069.tif 000005
【実施例９】
【０２２２】
分裂組織細胞のカフェイン処理を用いる逆育種
次亜塩素酸塩の６％溶液（市販の漂白剤、最終濃度１．５％ＮａＯＣｌ）に３０分間浸漬した後、滅菌ｍｉｌｌｉＱでよくすすぐことによって、キャベツ類（Ｂｒａｓｓｉｃａ ｏｌｅｒａｃｅａｅ）の種子を表面殺菌する。次に、その種子を滅菌湿潤ろ紙上で発芽させる。一次根を示す発芽種子を、７０ｍｍｏｌ／Ｌのカフェイン溶液に２時間浸漬した後、その種子を滅菌ｍｉｌｌｉＱですすぐ。
【０２２３】
次に、種子を滅菌湿潤ろ紙上に２４時間置くことによって、種子を回復させる。植物種が異なると最適な処理も異なりうるので、最適な処理は、さまざまなカフェイン濃度、さまざまなインキュベーション時間およびさまざまな回復時間を調べることによって確立すべきである。処理の後、根端を調製し、それらを０．５μｇ／ｌの２，４−Ｄ（２，４−ジクロロフェノキシ酢酸）が入っているＭＳ培地に移し、暗所に２週間置いてカルスを誘導することにより、分裂組織細胞を組織培養にとりだす。
【０２２４】
このカルス誘導の後、０．５ｍｇ／ＬのＢＡを含む培地上にカルスを置くことによって、植物を再生させた（明／暗＝１６／８時間、２５℃）。再生後に、各染色体の遺伝子マーカーを使って、好ましくは各染色体セットについて多型であるマーカーを使って、各半数体染色体の有無を分子的に解析する。完全な一揃いの染色体を含む半数体苗条を、コルヒチンで処理することによって倍加する。
【実施例１０】
【０２２５】
完全な染色体セットを含む半数体植物の選択後に異数性を化学誘導することによる逆育種
Ｃ．Ｂ．Ｓ．Ｒ．Ｓｈａｒｍａ（１９９０）Ｍｕｔａｇｅｎｅｓｉｓ  ５，１０５−１２５とその引用文献およびＳａｎｄｈｕら（１９９１）Ｍｕｔａｇｅｎｅｓｉｓ  ６，３６９−３７３に従って、前減数分裂状態にある若い花芽を有するキャベツ類（Ｂｒａｓｓｉｃａ ｏｌｅｒａｃｅａｅ）の顕花植物を、異数性を誘導することが知られているさまざまな化学化合物（エトポシド、ポドフィリン、ベノミル、マレイン酸ヒドラジド、アトラジン、ブタクロル、ＡＰＭ、グリセオフルビン、ビンブラスチン硫酸、ジアゼパム、コルヒチン、塩化カドミウム、エコナゾール、ピリメタミン、チアベンダゾール、チメロザールまたはノコダゾールから選択）で処理する。
【０２２６】
化学物質は、前減数分裂花芽を溶液に漬けるか、前減数分裂花芽に溶液を噴霧することによって適用する。ある植物の花芽の発育段階は一律でない場合があり、そのため適用する化学物質の有効性は個々の花芽ごとに異なりうるので、最大数の花芽について適切な発育段階をばく露する確率が増加するように、処理は何度も繰り返す。溶液は、上記化学化合物の他に、Ａｇｒａｌｉｎ（Ｓｙｎｇｅｎｔａ  Ｒｏｏｓｅｎｄａａｌ，オランダ）（０．２５ｍｌ／１００ｍｌ）などの界面活性剤を含む。
【０２２７】
適用後に、処理した芽にラベルを付けて、小胞子再生に最適な段階（平均すると芽が約３ミリメートルの長さになった時）まで栽培する。精製された小胞子をこれらの芽から収集し、半数体細胞の胞子体発育を誘導するのに最適な３２℃で２日間のストレス処理を施した。
【０２２８】
再生の後、苗条を、上述のように各半数体染色体の有無について解析する。完全な一揃いの染色体を含む半数体苗条を、コルヒチンによる処理で倍加する。
【実施例１１】
【０２２９】
現在、栄養繁殖技術によって商業的に増殖されている種に種子繁殖品種を提供するための本発明の使用
多くの商業植物種は、例えば多くの観賞用植物および木本では、栄養繁殖またはクローン繁殖が、商業的繁殖の唯一のまたは主たる方法である。これらの種の育種計画では、優れた遺伝子型を分離集団中に、例えばＦ２中に同定した後、それらを維持し、当業者によく知られている栄養増殖技術によって増殖する。これらの種の多くでは（ヘテロ接合）植物の栄養繁殖の方法が支配的になっている。なぜなら（多くの一年生および二年生作物で行われるような）種子による雑種品種の作出には、数世代にわたる親系統の同系交配がまず必要であるが、これは、多くの木本種および樹種では、あまりにも長い時間を要するので、商業的計画には適さないからである。栄養繁殖を利用すれば、優れた遺伝子型が増殖されて遺伝的に同一な植物のストックとなり、種子繁殖雑種作物の場合のように親系統の作出に時間を「浪費」することがない。
【０２３０】
しかし栄養繁殖には明らかな欠点もある。栄養繁殖による植物生産のロジスティクスは、種子による場合よりもはるかに困難である。種子は容易に貯蔵することができ、長期間にわたって問題を生じないことも多い。商業的な量の苗木が必要な場合はいつでも種子を蒔くことができる。栄養繁殖される材料の場合は、変動する新しい苗木の商業的需要にこたえることが、はるかに困難である。また、栄養生産は労働および技術集約的であり、したがって相対的に費用がかさむ。疾病、特にウイルスは、栄養増殖につきまとう脅威である。多くのウイルスは種子では伝達されないが、栄養生殖技術によって得られるクローン子孫には容易に伝達される。そのため、一部の国では、栄養繁殖によって生産される植物の輸入を律する厳しい検疫規則が設けられている。その上、栄養繁殖ではどの遺伝子型でも等しく機能するわけではない。この方法では繁殖が困難なものもある。例えば、挿し木の発根能は種およびクローン間で異なる。
【０２３１】
本発明の逆育種により、ヘテロ接合クローン繁殖植物の遺伝子型を再合成し、その遺伝子型を有する雑種種子を提供することができるようになった。
【０２３２】
リンゴ（Ｍａｌｕｓ ｄｏｍｅｓｔｉｃａ）の形質転換はＹｅｐｅｓ，Ｌ．Ｍ．およびＨ．Ｓ．Ａｌｄｗｉｎｃｋｌｅ  １９８９．Ｇｅｎｅｔｉｃ  ｔｒａｎｓｆｏｒｍａｔｉｏｎ  ｏｆ  ａｐｐｌｅ．Ａｂｓｔｒａｃｔ．ＵＣＬＡ  Ｓｙｍｐｏｓｉｕｍ  ｏｎ  Ｐｌａｎｔ  Ｇｅｎｅ  Ｔｒａｎｓｆｅｒ．（ユタ州パークシティ，１９８９年４月１〜７日）に従って行われる。
【０２３３】
Ｚｈａｎｇら（１９９２）Ｐｌａｎｔ  Ｂｒｅｅｄｉｎｇ  １０８：１７３−１７６に従って倍加半数体を作製する。次に、半数体植物から自発的二倍体化によって、または化学的に、二倍体植物を作出する。
【実施例１２】
【０２３４】
逆育種を使った雑種作物の種子生産の改善
商業的規模での雑種種子の生産では、種子の品質または量の低下につながる数多くの困難に直面しうる。これが、結果として、高品質雑種品種の商品化を妨げる場合もある。これらの困難は、例えば雑種の母系統の種子生産能が本質的に低いことや、雑種の母系統および父系統の開花期の相違、作物丈または花形態の相違（ある花型の方が他の花型より好まれるので、昆虫による他家受粉の実行が妨げられる）など、多種多様な要因によって引き起こされうる。
【０２３５】
本発明の逆育種を、農学的性質は優れているが種子生産量が低いという特徴（これはその雑種の商品化を魅力の少ないものにするか、さらには不可能にさえする）を有する雑種に応用することにより、元の母系統および父系統とは異なる系統を使って、その雑種を再合成することができる。品質と量がどちらも高い市販種子の生産が可能になるような系統の組合せを選択することにより、雑種の商品化は経済的に実行可能になるか、またはより魅力的になる。
【図面の簡単な説明】
【０２３６】
【図１】ＢｏＤＭＣ１の部分ヌクレオチド配列（配列番号１）。
【図２】ＢｃＤＭＣ１の部分ヌクレオチド配列（配列番号２）。
【図３】ＬｅＤＭＣ１の部分ヌクレオチド配列（配列番号３）。
【図４】ＳｍＤＭＣ１の部分ヌクレオチド配列（配列番号４）。
【図５】ＮｔＤＭＣ１の部分ヌクレオチド配列（配列番号５）。
【図６】ＢｏＳＰＯ１１の部分ヌクレオチド配列（配列番号６）。
【図７】ＢｃＳＰＯ１１の部分ヌクレオチド配列（配列番号７）。
【図８】ＡｔＭＳＨ５の部分ヌクレオチド配列（配列番号８）。
【図９】翻訳されたＡｔＭＳＨ５配列と、サッカロミセス・セレビシェ（Ｓａｃｃｈａｒｏｍｙｃｅｓ  ｃｅｒｅｖｉｓｉａｅ）、ヒト（Ｈｏｍｏ  ｓａｐｉｅｎｓ）、マウス（Ｍｕｓ  ｍｕｓｃｕｌｕｓ）および線虫（Ｃａｅｎｏｒｈａｂｄｉｔｉｓ  ｅｌｅｇａｎｓ）由来のＭＳＨ５オルソログ（候補配列）との一致レベルを示す、ＡｔＭＳＨ５部分ヌクレオチド配列（問い合わせ配列）のＢＬＡＳＴＸ解析の結果。
【図１０】ｐＲＺ５１の地図。ＲＢ＝右境界配列、ＬＢ＝左境界配列、ｓｐｅｃ＝スペクチノマイシン／ストレプトマイシン耐性、３５Ｓ  ｐｒ＝ＣａＭＶ  ３５Ｓプロモーター、Ｂｃ−ＤＭＣ＝ＢｃＤＭＣ１、ＯＣＳ−ｔｅｒ＝オクトピンシンターゼプロモーター、Ｐｎｏｓ＝ノパリンシンターゼプロモーター、ＮＰＴＩＩ＝ネオマイシンホスホトランスフェラーゼＩＩ、Ｔｎｏｓ＝ノパリンシンターゼポリアデニル化シグナル。
【図１１】ｐＲＺ５２の地図。ＲＢ＝右境界配列、ＬＢ＝左境界配列、ｓｐｅｃ＝スペクチノマイシン／ストレプトマイシン耐性、３５Ｓ  ｐｒ＝ＣａＭＶ  ３５Ｓプロモーター、Ｂｃ−ＳＰＯ１１＝ＢｃＳＰＯ１１、ＯＣＳ−ｔｅｒ＝オクトピンシンターゼプロモーター、Ｐｎｏｓ＝ノパリンシンターゼプロモーター、ＮＰＴＩＩ＝ネオマイシンホスホトランスフェラーゼＩＩ、Ｔｎｏｓ＝ノパリンシンターゼポリアデニル化シグナル。
【図１２】ｐＲＺ５４の地図。ＲＢ＝右境界配列、ＬＢ＝左境界配列、ｓｐｅｃ＝スペクチノマイシン／ストレプトマイシン耐性、３５Ｓ  ｐｒ＝ＣａＭＶ  ３５Ｓプロモーター、ＡｔＭＳＨ５＝ＡｔＭＳＨ５、ＯＣＳ−ｔｅｒ＝オクトピンシンターゼプロモーター、Ｐｎｏｓ＝ノパリンシンターゼプロモーター、ＮＰＴＩＩ＝ネオマイシンホスホトランスフェラーゼＩＩ、Ｔｎｏｓ＝ノパリンシンターゼポリアデニル化シグナル。
【図１３】ＢｏＭＳＨ５の部分ヌクレオチド配列（配列番号１７）
【図１４】ＬｅＭＳＨ５の部分ヌクレオチド配列（配列番号１８）
【図１５】ＳｍＭＳＨ５の部分ヌクレオチド配列（配列番号１９）
【図１６】ＮｔＭＳＨ５の部分ヌクレオチド配列（配列番号２０）
【図１０】
2005500069.tif 000006
【図１１】
2005500069.tif 000007
【図１２】
2005500069.tif 000008
【国際公開パンフレット】
2005500069.tif 000009
2005500069.tif 000010
2005500069.tif 000011
2005500069.tif 000012
2005500069.tif 000013
2005500069.tif 000014
2005500069.tif 000015
2005500069.tif 000016
2005500069.tif 000017
2005500069.tif 000018
2005500069.tif 000019
2005500069.tif 000020
2005500069.tif 000021
2005500069.tif 000022
2005500069.tif 000023
2005500069.tif 000024
2005500069.tif 000025
2005500069.tif 000026
2005500069.tif 000027
2005500069.tif 000028
2005500069.tif 000029
2005500069.tif 000030
2005500069.tif 000031
2005500069.tif 000032
2005500069.tif 000033
2005500069.tif 000034
2005500069.tif 000035
2005500069.tif 000036
2005500069.tif 000037
2005500069.tif 000038
2005500069.tif 000039
2005500069.tif 000040
2005500069.tif 000041
2005500069.tif 000042
2005500069.tif 000043
2005500069.tif 000044
2005500069.tif 000045
2005500069.tif 000046
2005500069.tif 000047
2005500069.tif 000048
2005500069.tif 000049
2005500069.tif 000050
2005500069.tif 000051
2005500069.tif 000052
2005500069.tif 000053
2005500069.tif 000054
2005500069.tif 000055
2005500069.tif 000056
2005500069.tif 000057
2005500069.tif 000058
2005500069.tif 000059
2005500069.tif 000060
2005500069.tif 000061
2005500069.tif 000062
2005500069.tif 000063
2005500069.tif 000064
2005500069.tif 000065
2005500069.tif 000066
2005500069.tif 000067
2005500069.tif 000068
2005500069.tif 000069
2005500069.tif 000070
2005500069.tif 000071
2005500069.tif 000072
2005500069.tif 000073
2005500069.tif 000074
2005500069.tif 000075
2005500069.tif 000076
2005500069.tif 000077
2005500069.tif 000078
2005500069.tif 000079
2005500069.tif 000080
2005500069.tif 000081
2005500069.tif 000082
2005500069.tif 000083
2005500069.tif 000084
2005500069.tif 000085
2005500069.tif 000086
2005500069.tif 000087
2005500069.tif 000088
2005500069.tif 000089
2005500069.tif 000090
2005500069.tif 000091
2005500069.tif 000092
2005500069.tif 000093
2005500069.tif 000094
2005500069.tif 000095
2005500069.tif 000096
2005500069.tif 000097
2005500069.tif 000098
2005500069.tif 000099
2005500069.tif 000100
2005500069.tif 000101
2005500069.tif 000102
2005500069.tif 000103
2005500069.tif 000104
2005500069.tif 000105
2005500069.tif 000106
2005500069.tif 000107
2005500069.tif 000108
【国際公開パンフレット（コレクトバージョン）】
2005500069.tif 000109
【国際調査報告】
2005500069.tif 000110
2005500069.tif 000111
2005500069.tif 000112
2005500069.tif 000113
2005500069.tif 000114